(57)【要約】【課題】紙幣計数装置を小型に形成する。【解決手段】紙幣計数装置１は、計数対象の紙幣Ｂがセットされるセット部２と、セット部２から繰り出された紙幣Ｂの識別及び計数を行う識別部３と、識別部３が識別を行った後の紙幣Ｂを保持する保持部４と、セット部２と保持部４との間をつなぐ搬送路を有しかつ、セット部２から繰り出された紙幣Ｂを一枚ずつ、識別部３を通過させるよう構成された搬送部５とを備え、セット部２には、セットされた紙幣Ｂを挟み込んで識別部３へ繰り出すように構成された駆動ローラー２５１を含む繰出部が設けられる一方、識別部３には、セット部２から繰り出された紙幣Ｂを挟み込んで識別部３内へ引き込むように構成されたグリップローラー３５が設けられ、駆動ローラー２５１からグリップローラー３５までの距離Ｌ１は、紙幣Ｂの搬送方向の長さよりも短くなるように構成されている。【選択図】図１１
2017134804.tif 000002
【特許請求の範囲】
【請求項１】
紙幣の識別及び計数を行うように構成された紙幣計数装置であって、
計数対象の前記紙幣がセットされるよう構成されたセット部と、
前記セット部から繰り出された前記紙幣の識別及び計数を行うよう構成された識別部と、
前記識別部が識別を行った後の前記紙幣を保持するよう構成された保持部と、
前記セット部と前記保持部との間をつなぐ搬送路を有しかつ、前記セット部から繰り出された前記紙幣を一枚ずつ、前記識別部を通過させるよう構成された搬送部と、を備え、
前記セット部には、当該セット部にセットされた前記紙幣を挟み込むと共に、当該紙幣を前記識別部へ繰り出すように構成された繰出ローラーを含む繰出部が設けられる一方、
前記識別部には、前記セット部から繰り出された前記紙幣を挟み込むと共に、当該紙幣を前記識別部内へ引き込むように構成された引込ローラーが設けられ、
前記繰出部から前記引込ローラーまでの距離は、前記紙幣の搬送方向の長さよりも短くなるように構成されている紙幣計数装置。
【請求項２】
請求項１に記載の紙幣計数装置において、
前記繰出部は、前記紙幣が所定の繰出速度で移動するように、当該紙幣を繰り出す一方、前記引込ローラーは、前記紙幣が所定の引込速度で移動するように、当該紙幣を引き込むよう構成され、
前記繰出速度は、前記引込速度よりも速くなるように設定されている紙幣計数装置。
【請求項３】
請求項１又は請求項２に記載の紙幣計数装置において、
前記繰出部及び前記引込ローラーは、それぞれ、前記紙幣を所定のグリップ力で挟み込むように構成され、
前記繰出部側のグリップ力は、前記引込ローラー側のグリップ力よりも小さくなるように設定されている紙幣計数装置。
【請求項４】
請求項２又は請求項３に記載の紙幣計数装置において、
前記セット部から前記識別部に向かう前記紙幣の搬送を制御するよう構成された制御部を備え、
前記制御部は、前記識別部を通過させる次の紙幣の先端が、前記セット部と前記識別部との間の所定位置に位置するように、前記次の紙幣を一旦停止した後、前記次の紙幣を前記識別部に向かって搬送させるよう構成されている紙幣計数装置。
【請求項５】
請求項１から請求項４のいずれか１つに記載の紙幣計数装置において、
前記繰出部と前記引込ローラーとの間には、前記繰出部から繰り出されて前記識別部へ搬送中の前記紙幣の紙面を叩くように構成された札叩きローラーが設けられている紙幣計数装置。
【請求項６】
請求項１から請求項５のいずれか１つに記載の紙幣計数装置において、
前記セット部は、前記紙幣の長手の縁を下にして立てた状態に、前記紙幣をセットするように構成され、
前記搬送部は、前記紙幣を立てた状態で、長手搬送するように構成され、
前記保持部は、前記紙幣の長手の縁を下にして立てた状態に、前記紙幣を保持するように構成されている紙幣計数装置。
【請求項７】
請求項１から請求項６のいずれか１つに記載の紙幣計数装置において、
前記識別部は、前記紙幣の一枚一枚について、少なくとも、真券であるか否かを判定するように構成され、
前記搬送部は、前記識別部によって前記紙幣が真券ではないと判定された場合には、当該紙幣の搬送を中断しかつ、前記搬送路に留めるように構成されている紙幣計数装置。
【請求項８】
請求項７に記載の紙幣計数装置において、
前記搬送部は、前記紙幣が搬送されている最中に、前記紙幣の少なくとも一部分を、常時、見ることができるように構成されている紙幣計数装置。
【発明の詳細な説明】
【技術分野】
【０００１】
ここに開示する技術は、紙幣計数装置に関する。
【背景技術】
【０００２】
特許文献１には、紙幣の識別及び計数を行う紙幣計数装置が記載されている。この装置は、卓上型である。この紙幣計数装置は、筐体の上部に設けられかつ、計数対象の紙幣が置かれる取込部と、筐体内に配設されかつ、紙幣の識別を行う識別部と、識別後の紙幣が集積される集積部と、を備えている。
【先行技術文献】
【特許文献】
【０００３】
【特許文献１】特開２０１３−２５０９０９号公報
【発明の概要】
【発明が解決しようとする課題】
【０００４】
ところで、前記特許文献１に記載されたような紙幣計数装置は、例えば遊技場等の施設において、遊技場の担当者が客から手渡された紙幣の識別及び計数を行う際に利用する場合がある。その場合、紙幣計数装置には、例えばテーブル等の上に設置しても場所をとらないことが望まれている。
【０００５】
ここに開示する技術は、かかる点に鑑みてなされたものであり、その目的とするところは、紙幣計数装置を小型に形成することである。
【課題を解決するための手段】
【０００６】
ここに開示する技術は、紙幣の識別及び計数を行うように構成された紙幣計数装置に関する。この紙幣計数装置は、計数対象の前記紙幣がセットされるよう構成されたセット部と、前記セット部から繰り出された前記紙幣の識別及び計数を行うよう構成された識別部と、前記識別部が識別を行った後の前記紙幣を保持するよう構成された保持部と、前記セット部と前記保持部との間をつなぐ搬送路を有しかつ、前記セット部から繰り出された前記紙幣を一枚ずつ、前記識別部を通過させるよう構成された搬送部と、を備える。
【０００７】
そして、前記セット部には、当該セット部にセットされた前記紙幣を挟み込むと共に、当該紙幣を前記識別部へ繰り出すように構成された繰出ローラーを含む繰出部が設けられる一方、前記識別部には、前記セット部から繰り出された前記紙幣を挟み込むと共に、当該紙幣を前記識別部内へ引き込むように構成された引込ローラーが設けられ、前記繰出部から前記引込ローラーまでの距離は、前記紙幣の搬送方向の長さよりも短くなるように構成されている。
【０００８】
この構成によると、紙幣は、セット部から搬送路に沿って搬送されて保持部に至る。紙幣がセット部から保持部に至るまでの間に、識別部は紙幣の識別及び計数を行う。
【０００９】
前記セット部の繰出部から前記引込ローラーまでの距離は、前記紙幣の搬送方向の長さよりも短くなるように構成されているため、その距離が短くなった分だけ、紙幣計数装置を小型に形成することができる。
【００１０】
また、前記繰出部は、前記紙幣が所定の繰出速度で移動するように、当該紙幣を繰り出す一方、前記引込ローラーは、前記紙幣が所定の引込速度で移動するように、当該紙幣を引き込むよう構成され、前記繰出速度は、前記引込速度よりも速くなるように設定されている、としてもよい。
【００１１】
前述のように、前記繰出部から前記引込ローラーまでの距離が前記紙幣の搬送方向の長さよりも短い場合、紙幣の搬送方向先側の一部分が引込ローラーに挟み込まれたとき、その紙幣の搬送方向後側の一部分は、繰出部に挟み込まれた状態にある。その状態では、セット部側と識別部側とで紙幣の引っ張り合いが生じてしまい、識別部における紙幣の搬送速度が変動し、紙幣の識別を安定して行う上で支障を来す虞がある。
【００１２】
前記の構成によると、紙幣の繰出速度は、引込速度よりも速い。こうすることで、紙幣の搬送方向後側の一部分は、搬送方向先側の一部分よりも速く移動することになるため、紙幣は、搬送方向後側から先側へ押し込まれるようになる。したがって、紙幣の引っ張り合いが解消されて、識別を安定して行うことができる。
【００１３】
また、前記繰出部及び前記引込ローラーは、それぞれ、前記紙幣を所定のグリップ力で挟み込むように構成され、前記繰出部側のグリップ力は、前記引込ローラー側のグリップ力よりも小さくなるように設定されている、としてもよい。
【００１４】
この構成によると、紙幣の搬送方向先側の一部分の方が、搬送方向後側の一部分よりも強く挟み込まれることになるから、紙幣の引っ張り合いが生じたときに、搬送方向先側の一部分が安定的に引き込まれることになる。そのことで、紙幣の引っ張り合いが解消されて、識別を安定して行うことができる。
【００１５】
識別部は、紙幣が通過する間に当該紙幣に関する各種の情報を取得しかつ、その取得した情報に基づいて紙幣の識別を行う。識別部を通過する紙幣の速度は、所定の速度で一定であることが、正確な情報を取得しかつ、識別精度を確保する上で重要である。そのため、従来の紙幣計数装置は、識別部を通過する紙幣の速度を、所定速度で安定化するように、セット部と識別部との間に、セット部の繰り出し及び識別部の引き込みとは別駆動となった、搬送部を設けていた。
【００１６】
しかしながら、前述の通り、この紙幣計数装置は、セット部と識別部との距離が短い。そのため、従来の紙幣計数装置のような、セット部と識別部との間の搬送部を設けるスペースがない。そのため、識別部を通過する紙幣の速度を、所定の速度で安定化させる構成が必要である。
【００１７】
そこで、前記紙幣計数装置は、前記セット部から前記識別部に向かう前記紙幣の搬送を制御するよう構成された制御部を備え、前記制御部は、前記識別部を通過させる次の紙幣の先端が、前記セット部と前記識別部との間の所定位置に位置するように、前記次の紙幣を一旦停止した後、前記次の紙幣を前記識別部に向かって搬送させるよう構成されている、としてもよい。
【００１８】
こうすることで、紙幣が識別部に進入するときの搬送開始位置が、常に、同じ位置になる。紙幣は、常に、その所定位置から搬送を開始すると共に、所定の搬送速度に安定してから、識別部内に進入する。その結果、識別部を通過する紙幣の速度を、所定の速度で一定にすることが可能になる。
【００１９】
また、前記繰出部と前記引込ローラーとの間には、前記繰出部から繰り出されて前記識別部へ搬送中の前記紙幣の紙面を叩くように構成された札叩きローラーが設けられている、としてもよい。
【００２０】
この構成によると、札叩きローラーは、繰出ローラーのように紙幣を挟み込んで繰り出すのではなく、紙幣の紙面を叩くように構成されている。そうすることによって、繰り出された紙幣にたわみが生じていたとしても、そのたわみを矯正しつつ、識別部内へ安定して送り出すことができる。そのことで、紙幣の座屈、ひいては紙幣の詰まりを防止することが可能になる。
【００２１】
また、前記セット部は、前記紙幣の長手の縁を下にして立てた状態に、前記紙幣をセットするように構成され、前記搬送部は、前記紙幣を立てた状態で、長手搬送するように構成され、前記保持部は、前記紙幣の長手の縁を下にして立てた状態に、前記紙幣を保持するように構成されている、としてもよい。
【００２２】
この構成によると、紙幣のセット、識別及び計数、搬送並びに保持は、全て、長手の縁を下にして立てた状態で行われることになる。そのことで、紙幣計数装置は、水平方向においてコンパクトになるため、小型に形成する上で有利になる。
【００２３】
また、前記識別部は、前記紙幣の一枚一枚について、少なくとも、真券であるか否かを判定するように構成され、前記搬送部は、前記識別部によって前記紙幣が真券ではないと判定された場合には、当該紙幣の搬送を中断しかつ、前記搬送路に留めるように構成されている、としてもよい。
【００２４】
この構成によると、識別部は、少なくとも、紙幣が真券であるか否かを判定するように構成されている。搬送部は、真券ではないと判定された紙幣、つまり、偽券と疑わしき紙幣については、その紙幣の搬送を中断しかつ、搬送路に留める。
【００２５】
一般的に、偽券と疑わしき紙幣に対しては、紙幣計数装置を用いて計数を行っている担当者個人の判断に基づいた対応をするのではなく、例えば遊技場の責任者等の立ち会いの元で、厳正なルールに従って取り扱うことが求められる。したがって、偽券と疑わしき紙幣の搬送を中断し、搬送路に留めておくことで、担当者に安易な取り扱いをさせることなく、厳正に取り扱うことができる。
【００２６】
また、前記搬送部は、前記紙幣が搬送されている最中に、前記紙幣の少なくとも一部分を、常時、見ることができるように構成されている、としてもよい。
【００２７】
この構成によると、搬送路に沿って搬送されている最中の紙幣の少なくとも一部分を、常時、見ることができる。したがって、真券ではないと判定された紙幣を、監視することができる。そのことで、偽券と疑わしき紙幣を厳正に取り扱うことができる。
【発明の効果】
【００２８】
以上説明したように、ここに開示する技術は、紙幣計数装置を小型に形成することができる。
【図面の簡単な説明】
【００２９】
【図１】紙幣計数装置を前側から見た外観を示す斜視図である。
【図２】紙幣計数装置の平面図である。
【図３】紙幣計数装置の構成を示すブロック図である。
【図４】搬送部に関する変形例を示す斜視図である。
【図５】セット部の内部構造の斜視図である。
【図６】セット待ち状態におけるセット部の一部構成を示す平面図である。
【図７】セット待ち状態におけるセット部の一部構成を示す正面図である。
【図８】繰り出し状態におけるセット部の一部構成を示す平面図である。
【図９】セット部の各種ローラーの斜視図である。
【図１０】識別部の構成を示す断面図である。
【図１１】セット部及び識別部の構成を示す平面図である。
【図１２】識別部に関する変形例を示す斜視図である。
【図１３】切替部が第１位置にあるときのリジェクト部の構成を示す概略図である。
【図１４】切替部が第２位置にあるときのリジェクト部の構成を示す概略図である。
【図１５】保持部の構成を示す平面図である。
【図１６】保持部の構成を拡大して斜視図である。
【図１７】画面表示及び操作入力に関連する構成を示すブロック図である。
【図１８】紙幣計数時の表示画面例である。
【図１９】紙幣計数装置の上面の一部を拡大して示す平面図である。
【図２０】識別部の厚みセンサを構成するローラーを示す斜視図である。
【図２１】識別部の厚みセンサの構成を示す平面図である。
【図２２】識別部の厚みセンサを構成するローラーを示す側面図である。
【図２３Ａ】セット部から識別部への紙幣の搬送制御の手順の一部を示す説明図である。
【図２３Ｂ】セット部から識別部への紙幣の搬送制御の手順の一部を示す説明図である。
【図２４】リジェクト紙幣の搬送停止位置を説明する平面図である。
【図２５】保持部の第２の実施形態を示す平面図である。
【図２６】保持部の札たたきと、札ガイドレバーとを示す斜視図である。
【図２７】保持部の札たたきの回転状態を示す平面図である。
【図２８】保持部のストッパを示す斜視図である。
【図２９】保持部のストッパを示す側面図である。
【図３０】保持部のストッパの取り付け構造を示す斜視図である。
【図３１】第1ディスプレイ及び第２ディスプレイの画面表示例を示す図である。
【図３２】ディスプレイの表示形態の変更を説明する図である。
【図３３】ディスプレイの表示形態の変更を説明する図である。
【図３４】紙幣計数装置のガイドを使用状態にした図、及び、開放状態にした図である。
【図３５】紙幣計数装置の分解手順を説明する図である。
【図３６】紙幣計数装置の第２実施形態を示す斜視図である。
【発明を実施するための形態】
【００３０】
以下、紙幣計数装置の実施形態を、図面を参照しながら参照する。尚、以下の説明は、紙幣計数装置の一例を示すものである。
【００３１】
（装置の全体構成）
図１は、紙幣計数装置１（以下、単に装置１とも呼ぶ）の外観を示している。装置１は、紙幣の識別と計数とを行う。装置１は、少なくとも紙幣の真偽及び金種を識別する。装置１は、複数の通貨の識別及び計数が可能である。計数対象の通貨は、予め設定される。計数対象の通貨は、変更が可能である。装置１は、例えば遊技場等の施設において、客から手渡された紙幣の識別及び計数を行うために用いられる。客は、例えば、紙幣を、遊技に使用するチップに両替する際に、遊技場の担当者に紙幣を手渡す。
【００３２】
装置１は、テーブル、カウンター、机、及び、台等の上に置かれて使用される卓上型である。後述の如く、装置１は小型であり、テーブル等の上に置いても場所をとらない。尚、以下においては、説明の便宜上、図１における紙面右手前を装置１の前、紙面左奥を装置１の後ろ、紙面右奥を装置１の右、紙面左手前を装置１の左と呼ぶ。担当者は、通常は、装置１の前面を自分の方に向けて装置１を使用する。
【００３３】
装置１は、上部１１と下部１２との、上下方向に重なる２つの部位から構成される。装置１の上部１１と下部１２とは、仕切板１３によって隔てられる。
【００３４】
装置１の上部１１は、計数対象の紙幣を搬送しながら、識別と計数とを行うよう構成されている。装置１は、計数対象の紙幣がセットされるよう構成されたセット部２と、紙幣の識別及び計数を行うよう構成された識別部３と、識別を行った紙幣を保持するよう構成された保持部４と、セット部２から繰り出された紙幣を、一枚ずつ識別部３を通過させて保持部４にまで搬送するよう構成された搬送部５と、を備えている。さらに、上部１１上面の前側には、メカニカルスイッチとして構成された、承認（ＡＣＣＥＰＴ）スイッチ９１および消去（ＣＬＥＡＲ）スイッチ９２が設けられている（図１９も参照）。
【００３５】
装置１の下部１２は、装置１を動作させるために必要な各種の機器を収容するよう構成されている。具体的に、図１では図示を省略するが、装置１の下部１２は、各部２、３、４及び５の動作を制御する制御部６（図３を参照）を収容する。装置１の下部１２はまた、各部３、４、５において行う各種動作の駆動源であるモーターや、駆動力を伝達するベルトや歯車等を収容する。さらに、装置１の下部１２には、コネクタ７が設けられている。コネクタ７には、装置１に電力を供給する電源コードや、装置１を外部装置に接続する、又は、外部装置を装置１に接続するためのケーブルが接続される。
【００３６】
装置１はまた、ここに開示する例では、第１ディスプレイ８１と、第２ディスプレイ８２（図２を参照）との２つのディスプレイを備えている。第１ディスプレイ８１は、主に担当者が見るためのディスプレイであり、装置１の前部に配置される。第２ディスプレイ８２は、主に客が見るためのディスプレイであり、装置１の後部に配置される。第１ディスプレイ８１及び第２ディスプレイ８２の表示内容は、例えば遊技場等の施設の天井部やテーブル脇に設置したモニタ等に取り付けた監視カメラからも確認することが可能である。尚、第２ディスプレイ８２は、必須ではない。
【００３７】
セット部２は、図１及び図２に示すように、装置１の前部右側に配置される。仕切板１３の上面は、セット部２において紙幣Ｂをセットするセット面として機能する。セット部２は、図１に２点鎖線で示すように、紙幣Ｂの長手の縁を下にして、仕切板１３の上面に立てた状態に、紙幣Ｂをセットするように構成されている。セット部２は、装置１の上方及び前方に開放されている。セット部２に紙幣Ｂをセットしたときに、紙幣Ｂの上部及び搬送方向後部（後述するように、紙幣Ｂの搬送方向の進み側を紙幣Ｂの先、その逆側を紙幣Ｂの後としたときの後部）はそれぞれ、装置１の上方及び前方に飛び出す。担当者及び客は、セット部２にセットした紙幣Ｂの、少なくとも一部を見ることができる。
【００３８】
セット部２の前側には、装置１の前方に飛び出した紙幣Ｂを受ける台１４が取り付けられている。台１４の上面は、仕切板１３の上面と面一である。紙幣Ｂの長手の縁は、セット部２のセット面と、台１４の上面との両方に当たる。これにより、紙幣計数装置１の全長をできるだけ短くしながら、紙幣Ｂを、セット部２に安定してセットすることが可能になる。
【００３９】
セット部２は、複数枚の紙幣Ｂを、水平方向に並べた状態で一度にセットすることが可能に構成されている。大きさの異なる紙幣Ｂが混ざり合っていてもよい。セット部２は、紙幣Ｂの繰り出し機構を有している。繰り出し機構は、セット部２にセットされた紙幣Ｂを一枚ずつ繰り出す。
【００４０】
識別部３は、装置１の前後方向中央部の右側に配置される。識別部３とセット部２とは、装置１の前後方向に隣り合っている。識別部３は、紙幣Ｂが進入する入口部３４１及び紙幣Ｂが退出する出口部３４２を有している。セット部２から繰り出された紙幣は、識別部３を通過する。識別部３は、紙幣Ｂに関する情報を取得するセンサを有している。識別部３は、紙幣Ｂが通過をする際にセンサが取得した情報に基づいて、当該紙幣Ｂが受け入れ可能な正常紙幣であるか、受け入れ不可能なリジェクト紙幣であるかの判定を行う。識別部３はまた、紙幣Ｂの真偽の判定や、正常紙幣の計数も行う。
【００４１】
保持部４は、装置１の前部左側に配置される。保持部４とセット部２とは、装置１の左右方向に隣り合っている。仕切板１３の上面は、保持部４において紙幣Ｂを保持する保持面として機能する。保持部４は、紙幣Ｂの長手の縁を下にして、仕切板１３の上面に立てた状態で紙幣Ｂを保持する。保持部４は、複数枚の紙幣Ｂを、水平方向に並べた状態で、一度に保持することができるよう構成されている。保持部４は、装置１の上方、前方及び左側方に開放されている。図１に２点鎖線で示すように、保持部４に保持されている紙幣Ｂの上部は、保持部４から上方に飛び出す。担当者及び客は、保持部４に保持されている紙幣Ｂを見ることができる。
【００４２】
搬送部５は、セット部２から保持部４に至るように設けられる搬送路を有している。図２に示すように、搬送路は、第１搬送路５１、第２搬送路５２、及び第３搬送路５３から構成されている。搬送路は全体として、平面視でＵ字状をなすように配設されている。
【００４３】
搬送部５は、仕切板１３の上面に紙幣Ｂを立てた状態で、一枚ずつ長手搬送する。各搬送路５１、５２、５３は、水平方向に所定の間隔を空けて配設されるガイド５５、５６、５７によって構成されている。ガイド５５、５６、５７は、立てた状態で搬送される紙幣Ｂの表面及び裏面に相対する。ガイド５５、５６、５７の高さは、紙幣Ｂの高さ（つまり、短手長さ）よりも低い。ガイドとガイドとの間には、上向きに開口する開口部５０が設けられる。図１に２点鎖線で示すように、搬送中の紙幣Ｂの上部は、この開口部５０から上方に飛び出す。担当者及び客は、搬送中の紙幣Ｂを見ることができる。
【００４４】
第１搬送路５１と第２搬送路５２との接続部分には、図２に示すように、分岐路５８が接続されている。第２搬送路５２の一部と分岐路５８とでリジェクト部５４を構成する。リジェクト部５４は、識別部３によって、リジェクト紙幣と判定された紙幣Ｂを排出する部分である。リジェクト部５４は、上方に開放していると共に、装置１の後部の右側面に開口し、リジェクト口５４ａを形成している。リジェクト部５４に払い出されたリジェクト紙幣の一部は、リジェクト口５４ａから装置１の右側方に飛び出すと共に、リジェクト紙幣の上部は、リジェクト部５４から上方に飛び出す。担当者及び客は、リジェクト紙幣を見ることができる。
【００４５】
図３は、装置１の動作に関係するブロック図を示している。セット部２、識別部３、保持部４及び搬送部５は、信号の送受が可能となるよう制御部６に電気的に接続されている。
【００４６】
また、第１ディスプレイ８１及び第２ディスプレイ８２も、制御部６に電気的に接続されている。第１ディスプレイ８１は、タッチパネル式のディスプレイによって構成されている。担当者は、第１ディスプレイ８１において、各種の操作を行うことが可能である。第２ディスプレイ８２は、タッチパネル式のディスプレイではなく、表示のみを行う。第１ディスプレイ８１及び第２ディスプレイ８２には、少なくとも計数結果が表示される。
【００４７】
尚、第１ディスプレイ８１及び第２ディスプレイ８２は、同じデバイスによって構成してもよい。同じデバイスを用いることで、紙幣計数装置１のコストダウンを図ることが可能である。第１ディスプレイ８１及び第２ディスプレイ８２が同じデバイスであっても、制御部６は、第１ディスプレイ８１が接続されるポート、及び、第２ディスプレイ８２が接続されるポートによって、第１ディスプレイ８１及び第２ディスプレイ８２のそれぞれについて、後述の通り、異なる表示をさせることが可能である。第１ディスプレイ８１及び第２ディスプレイ８２をそれぞれ、同じ、タッチパネル式のディスプレイとしてもよい。但し、客用の第２ディスプレイ８２は、前述したように、操作が不要である。第１ディスプレイ８１及び第２ディスプレイ８２をそれぞれ、タッチパネル式のディスプレイとしたときに、第１ディスプレイ８１は、所定のポートに接続することに伴い、タッチパネル機能が有効となり、第２ディスプレイ８２は、所定のポートに接続することに伴い、タッチパネル機能が無効になるようにしてもよい。
【００４８】
また、承認スイッチ９１および消去スイッチ９２も、制御部６に電気的に接続されている。担当者は、これらのスイッチ９１、９２を押すことにより、所定の入力を行うことができる。
【００４９】
また、制御部６には、上位サーバー１００がコネクタ７を介して接続されている（図１７参照）。上位サーバー１００は、遊技場を集中管理している。尚、上位サーバー１００に接続せずに、装置１がスタンドアローンで稼働するようにしてもよい。
【００５０】
制御部６には、第１センサ６１、第２センサ６２、第３センサ６３、第４センサ６４及び第５センサ６５が接続される。第１〜第５センサ６１〜６５はそれぞれ、紙幣Ｂを検知すると共に、検知信号を制御部６に出力する。図２に示すように、第１センサ６１は、セット部２の近傍に配設されている。第１センサ６１は、セット部２に紙幣Ｂがセットされたことを検知する。第２センサ６２は、第２搬送路５２に配設されている。第２センサ６２が紙幣Ｂの通過を検知したときに、偽券と疑わしき紙幣Ｂは、その搬送が停止される。第３センサ６３は第３搬送路５３に配設されている。第３センサ６３は、紙幣Ｂが保持部４に払い出されたことを検知する。第４センサ６４は、リジェクト口５４ａの近傍に配設されている。第４センサ６４は、リジェクト口５４ａに払い出された紙幣Ｂが、リジェクト口５４ａから抜き取られたことを検知する。第５センサ６５は、保持部４に配設されている。第５センサ６５は、保持部４に保持されていた紙幣Ｂが取り除かれたことを検知する。
【００５１】
また、詳細は後述するが、制御部６には、第６センサ６０６及び第７センサ６０７が接続される。第６センサ６０６は、図２に示すように、識別部３内に設けられている。第６センサ６０６は、セット部２から繰り出されかつ、識別部３内に送り込まれた紙幣Ｂの先端を検知する。第６センサ６０６の検知結果は、セット部２の紙幣の繰り出し、停止に利用される。また、第６センサ６０６の検知結果は、後述する識別部３における各センサの検知タイミングの設定にも利用される。
【００５２】
第７センサ６０７は、図２に示すように、セット部２と識別部３との間の所定位置に配設されている。より詳細に、第７センサ６０７は、図１１に示すように、後述の駆動ローラー２５１とグリップローラー３５との間に配設されている。第７センサ６０７は、紙幣Ｂの先端を検知する。詳細は後述するが、第７センサ６０７の検知結果に基づいて、制御部６は、識別部３への紙幣Ｂの繰り出しを制御する。
【００５３】
次に、装置１の計数動作について説明する。担当者が、客から手渡された紙幣Ｂをセット部２にセットすると、第１センサ６１が紙幣Ｂを検知する。制御部６は、第１センサ６１の検知結果を受けて、セット部２から紙幣Ｂを一枚ずつ繰り出す。
【００５４】
セット部２から繰り出された紙幣Ｂは識別部３を通過する。識別部３は、センサによって紙幣Ｂに関する情報を取得すると共に、その情報に基づいて、各紙幣が受け入れ可能な正常紙幣であるか、受け入れ不可能なリジェクト紙幣であるかを判定する。例えば、紙幣Ｂが計数対象の通貨以外の通貨であるときには、リジェクト紙幣であると判定される。また、２枚以上の紙幣が重なって搬送されているときにも、リジェクト紙幣であると判定される。識別部３はまた、正常紙幣については、その金種を識別する。識別部３は、各紙幣の真偽の判定や、正常紙幣の計数も行う。
【００５５】
識別部３を通過した紙幣Ｂは、搬送部５によって搬送されることで、第１搬送路５１から第２搬送路５２へと至る。第２センサ６２が紙幣Ｂの通過を検知したときに、当該紙幣Ｂが正常紙幣であれば、その紙幣Ｂは、そのまま第３搬送路５３に搬送される。
【００５６】
第３搬送路５３に至った紙幣Ｂは、第３センサ６３を通過し、その後、保持部４に払い出される。保持部４は、払い出された紙幣Ｂを順次保持する。紙幣Ｂは、水平方向に並んで保持される。第３センサ６３の検知結果を受けて、制御部６は、セット部２から次の紙幣Ｂを繰り出す。制御部６は、計数動作の最中に、計数値をリアルタイムで、第１ディスプレイ８１及び第２ディスプレイ８２に表示させる。
【００５７】
セット部２にセットされた紙幣Ｂが全て繰り出されることによって、計数対象の紙幣Ｂの計数が全て終了すれば、制御部６は、計数結果、つまり、総額を第１ディスプレイ８１及び第２ディスプレイ８２に表示させる。こうして、装置１の計数動作が完了する。計数の完了後に、保持部４に保持されている紙幣Ｂは、担当者が手で取り除く。第５センサ６５は、紙幣Ｂが取り除かれたことを検知する。
【００５８】
また、担当者は、第１ディスプレイ８１に設けられたタッチ用ボタン、又は、装置１の上部１１上面に設けられたスイッチ９１、９２を押すことにより、計数値の確定処理等を行う。
【００５９】
尚、詳細は後述するが、紙幣Ｂがリジェクト紙幣であれば、制御部６は、当該紙幣Ｂが、第２搬送路５２に至ると共に、後述する切替部５９を通過した後に、搬送部５を一時停止させる。その後、制御部６は、第２搬送路５２に位置している紙幣Ｂが逆向きに搬送されるように、搬送部５を動作させる。紙幣Ｂは、第２搬送路５２から分岐路５８の方に搬送されて、リジェクト部５４に払い出される。この状態で、装置１の動作は停止する。リジェクト部５４に払い出されたリジェクト紙幣は、担当者が手で取り除く。第４センサ６４が、リジェクト紙幣が取り除かれたことを検知すると、制御部６は、装置１の計数動作を再開する。
【００６０】
また、第２センサ６２が紙幣Ｂの通過を検知したときに、当該紙幣Ｂが、真券ではないと判定された、偽券と疑わしき紙幣（以下、「非真券」とも呼ぶ）であれば、制御部６は、搬送部５を停止させることにより、その紙幣Ｂの搬送を中断する。その後、制御部６は、紙幣Ｂを搬送路５２に留めたまま、非真券が検出されたことを上位サーバー１００へ送信する。
【００６１】
−装置の全体構成に関する他の形態−
前記の構成では、装置１は卓上型であったが、これに限られるものではなく、テーブル下のスペースに収容されてもよい。例えば、装置１は、横向き（具体的には、装置１の前後方向に沿って延びる軸周りに９０°回転させた状態）にされた上で、テーブル脇に設置されてもよい。その場合、搬送部５は、紙幣Ｂを寝かせた状態で、一枚ずつ長手搬送することになる。また、装置１の開口部５０は、横向きに開口することになり、搬送中の紙幣Ｂの端部は、その開口部５０から側方に飛び出すこととなる。テーブル脇に設置した場合、卓上で行われる遊技の邪魔にならない。
【００６２】
（搬送部の構成）
次に、搬送部５の構成について詳細に説明する。第１搬送路５１は、第１ガイド５５及び第２ガイド５６によって構成される。第２搬送路５２は、第２ガイド５６及び第３ガイド５７によって構成される。第３搬送路５３は、第２ガイド５６と第３ガイド５７とによって構成される。
【００６３】
第１ガイド５５は、装置１の右側において、装置１の後部から前後方向の中央部にまで前後方向に延びている。第１ガイド５５は、図２に示すように、平面視でＩ字状である。第１ガイド５５は、装置１の右側面の一部を構成する。第１ガイド５５は、装置１の上部１１から下部１２にまで広がっている。第１ガイド５５はまた、紙幣Ｂの搬送路を挟んだ片側において、識別部３の一部を構成する。
【００６４】
第２ガイド５６は、装置１の左右方向の中央部に配置される。言い換えると、第２ガイド５６は、第１ガイド５５及び第３ガイド５７に対し、装置１の内方に配置される。第２ガイド５６は、装置１の後部から前端部にまで前後方向に延びている。第２ガイド５６は、セット部２の一部を構成すると共に、保持部４の一部を構成する。第２ガイド５６はまた、紙幣Ｂの搬送路を挟んだ片側において、識別部３の一部を構成する。
【００６５】
第３ガイド５７は、図２に示すように平面視で略Ｌ字状である。第３ガイド５７はまた、装置１の後面の一部と左側面の一部とを構成する。第３ガイド５７は、仕切板１３よりも上側に設けられる。第３ガイド５７は、装置１の上部１１にのみ設けられる。
【００６６】
図２に示すように、第１ガイド５５及び第３ガイド５７は、装置１の中央部に配置した第２ガイド５６の周囲を囲むように配置されている。第１ガイド５５、第２ガイド５６及び第３ガイド５７によって構成される第１搬送路５１、第２搬送路５２及び第３搬送路５３は、平面視でＵ字状をなしている。Ｕ字状の搬送路に沿って、上向きに開口する開口部５０が設けられる。
【００６７】
第１ガイド５５、第２ガイド５６及び第３ガイド５７はそれぞれ、装置１において計数可能な紙幣Ｂの内、最もサイズが小さい紙幣Ｂの短手長さよりも、その高さが低い。図１に示すように、セット部２から保持部４までの間において、紙幣Ｂは、上向きに開口する開口部５０から上方に飛び出す。このため、人は、搬送中の紙幣Ｂを、装置１の上方から見ることができる。また、この装置１は、セット部２が上方及び前方に開放されている。人は、セット部２にセットした紙幣Ｂを、装置１の上方から見ることができる。また、セット部２にセットされた複数枚の紙幣Ｂは、それぞれ立った状態で水平方向に並ぶ。セット部２にセットされた複数枚の紙幣Ｂの全てを、装置１の上方から見ることができる。保持部４も、上方、前方及び左側方に開放されている。人は、保持部４に保持している紙幣Ｂを、装置１の上方から見ることができる。また、保持部４に保持された複数枚の紙幣Ｂは、それぞれ立った状態で水平方向に並ぶ。保持部４に保持された複数枚の紙幣Ｂの全てを、装置１の上方から見ることができる。
【００６８】
担当者及び客は、装置１が計数を行っている間、常に、装置１の上方から紙幣Ｂを見ることができる。これにより、装置１は、計数結果の高い信頼性を確保することができる。
【００６９】
また、このような構成とすることによって、紙幣Ｂのセット、識別及び計数、搬送並びに保持は、全て、長手の縁を下にして立てた状態で行われることになる。そのことで、装置１は、水平方向においてコンパクトになるため、小型に形成する上で有利になる。
【００７０】
−搬送部に関する他の形態−
前記の構成では、紙幣Ｂを立てた状態で長手搬送するようにしている。これとは異なり、紙幣Ｂを横にした状態で長手搬送、又は、短手搬送するように、紙幣計数装置を構成してもよい。この構成では、例えば、搬送中の紙幣Ｂの一部分を、開口部から、紙幣計数装置の側方に飛び出させるようにしてもよい。
【００７１】
また、例えば図４に示すように、搬送部５において、光透過性の材料によって構成されたカバー部材５１０を取り付けるようにしてもよい。これにより、各搬送路５１、５２、５３に沿って搬送されている紙幣Ｂを、カバー部材５１０を通じて、常時、見ることが可能になる。カバー部材５１０によって、搬送中の紙幣Ｂを保護することが可能になる。その結果、紙幣Ｂの搬送をスムースに行うことが可能になる。
【００７２】
また、図示は省略するが、各搬送路を構成するガイドの一部を、光透過性の材料によって構成することにより、各搬送路に沿って搬送されている紙幣Ｂの一部分を、見ることができるように構成してもよい。この構成例において、ガイドは、前述したように。紙幣Ｂの高さよりも低くしなくてもよい。つまり、搬送中の紙幣Ｂの一部分が、ガイドとガイドとの間に設けられる開口部から飛び出さなくても、透明性材料によって構成されたガイドの部分を通じて、各搬送路に沿って搬送されている紙幣Ｂの、少なくとも一部分を、見ることができるようになる。
【００７３】
平面視でＬ字状の第３ガイド５７は、第２ガイド５６と共に第２搬送路５２を構成するガイドと、第２ガイド５６と共に第３搬送路５３を構成するガイドとに分けてもよい。
【００７４】
前記で示す搬送路のレイアウトは一例である。搬送路は、例えば直線状に配設してもよい。ガイドの形状は、搬送路のレイアウトに応じて適宜変更される。
【００７５】
前記の構成では、搬送中の紙幣Ｂの一部分が、開口部から外に飛び出すようにしている。しかしながら、搬送中の紙幣Ｂが外に飛び出さないように、第１ガイド５５、第２ガイド５６及び第３ガイド５７を構成してもよい。
【００７６】
（セット部の構成）
以下、セット部２の構成について詳細に説明する。図５は、セット部２の内部構造の斜視図である。図６は、セット待ち状態におけるセット部２の一部を上方から見た図である。図７は、セット待ち状態におけるセット部２の一部を前方から見た図である。図８は、繰り出し状態におけるセット部２の一部を上方から見た図である。図９は、セット部２の各種ローラーの斜視図である。
【００７７】
セット部２は、紙幣Ｂが挿入される開口部２１（図１参照）と、セットされた紙幣Ｂが載置される仕切板１３と、セットされた紙幣Ｂを繰り出す繰出ベルト２２と、紙幣Ｂのセット時における紙幣Ｂと繰出ベルト２２との接触を防止するガード部２３と、紙幣Ｂの繰り出し時に紙幣Ｂを繰出ベルト２２に押し付ける押え部２４と、各種ローラーと、繰出ベルト２２と駆動するためのモーター２６とを有している。セット部２は、セット部２に紙幣Ｂをセットする際にはセット待ち状態となり、セットされた紙幣Ｂを繰り出すときには繰り出し状態となる。セット待ち状態及び繰り出し状態については後述する。
【００７８】
開口部２１は、第１ガイド５５と第２ガイド５６とで形成され、装置１の前部右側に配置されている。ここで、開口部２１は、第１ガイド５５の縁部と第２ガイド５６の縁部とで形成された部分であり、言い換えると、開口縁部である。開口部２１は、前述の如く、装置１の上方及び前方に開口している。装置１の上方は、詳しくは後述する繰出ベルト２２の幅方向の一方側に相当する。つまり、開口部２１は、繰出ベルト２２の幅方向の一方側に開口している。また、装置１の前方は、繰出ベルト２２による紙幣Ｂの繰り出し方向のうち、紙幣Ｂが繰り出される向きとは反対側に相当する。つまり、開口部２１は、繰出ベルト２２による紙幣Ｂの繰り出し方向のうち、紙幣Ｂが繰り出される向きとは反対側にも開口している。そのため、紙幣Ｂは、開口部２１を介して、上方から下方へ又は前方から後方へ向かってセット部２に挿入される。仕切板１３、繰出ベルト２２、ガード部２３、押え部２４、各種ローラー及びモーター２６は、開口部２１よりも内側に配置されている。
【００７９】
初めに、繰出ベルト２２及び各種ローラーの構成について詳細に説明する。
【００８０】
繰出ベルト２２は、環状の無端ベルトである。以下、説明の便宜上、繰出ベルト２２の外周面を「表面２２１」と称し、内周面を「裏面２２２」と称する。また、繰出ベルト２２の厚み方向と長手方向（周方向）との両方に直交する方向を「幅方向」と称する。繰出ベルト２２の表面２２１と裏面２２２とには、幅方向に延びる複数の歯（図示省略）が、長手方向に等間隔で配列されている。表面の歯と裏面の歯とは、同じ形状をしておりかつ、同じ位置に配置されている。つまり、繰出ベルト２２のうち表面２２１に歯が設けられた部分の裏面２２２には、表面２２１の歯と同一の歯が設けられている。繰出ベルト２２は、その幅方向と仕切板１３の法線方向とが一致する状態で仕切板１３上に配置されている。
【００８１】
具体的に、各種ローラーは、図６等に示すように、少なくとも駆動ローラー２５１と、従動ローラー２５２と、ゲートローラー２５３と、キックローラー２５４と、ガイドローラー３６と、分離ローラー３７とを含んでいる。これらのローラーは、上下方向に沿う方向に延びる回転軸を有しており、仕切板１３に対して、繰出ベルト２２と同じ側に配置されている。これらのローラーのうち、駆動ローラー２５１、従動ローラー２５２、ゲートローラー２５３及びキックローラー２５４の回転軸は、セット部２に挿入された紙幣Ｂの一面側に位置するように、開口部２１よりも装置１の左側に配置されている一方、ガイドローラー３６及び分離ローラー３７の回転軸は、当該紙幣Ｂの他面側に位置するように、開口部２１よりも装置１の右側に配置されている。尚、駆動ローラー２５１及びゲートローラー２５３は、それぞれ、「繰出ローラー」の一例である。また、繰出ベルト２２、駆動ローラー２５１、ゲートローラー２５３、ガイドローラー３６、及び、分離ローラー３７は、本実施形態において「繰出部」を構成している。
【００８２】
駆動ローラー２５１及び従動ローラー２５２には、繰出ベルト２２が巻回されている。ゲートローラー２５３及びキックローラー２５４は、繰出ベルト２２の内側に配置されている。一方、ガイドローラー３６及び分離ローラー３７は、繰出ベルト２２の外側に配置されている。
【００８３】
駆動ローラー２５１は、セット部２にセットされた紙幣Ｂを、繰出ベルト２２を介して挟み込むと共に、当該紙幣Ｂを識別部３へ繰り出すように構成されている。詳しくは、駆動ローラー２５１は、モーター２６によって回転駆動される。モーター２６は、図５に示すように、仕切板１３を挟んで繰出ベルト２２と反対側に配置されている。駆動ローラー２５１の外周面には、繰出ベルト２２の歯と噛合する複数の歯が設けられている。駆動ローラー２５１がモーター２６に駆動されることによって、繰出ベルト２２が駆動される。駆動ローラー２５１は、図６及び図８において反時計回りに回転し、繰出ベルト２２も反時計回りに回転する。この回転方向は、繰出ベルト２２の右方にセットされた紙幣Ｂを繰り出す方向である。
【００８４】
ゲートローラー２５３は、前後方向において駆動ローラー２５１よりも前方に配置されている。ゲートローラー２５３は、駆動ローラー２５１と同様に、セット部２にセットされた紙幣Ｂを、繰出ベルト２２を介して挟み込むと共に、当該紙幣Ｂを識別部３へ繰り出すように構成されている。ゲートローラー２５３の外周面には、繰出ベルト２２の歯と噛合する複数の歯が設けられている。ゲートローラー２５３は、繰出ベルト２２が駆動されることによって、紙幣Ｂを繰り出す方向に回転する。つまり、ゲートローラー２５３は、図６及び図８において反時計回りに回転する。ゲートローラー２５３の回転軸には、その中央部において揺動可能に軸支されることによりベルクランクを構成する揺動板部２７の一方の揺動端が連結されている。揺動板部２７の他方の揺動端には、当該揺動板部２７を図６における時計回り方向に付勢する付勢部材２８が連結されている。揺動板部２７を付勢することにより、ゲートローラー２５３は、繰出ベルト２２を紙幣に押し付けるように、開口部２１の内側に向かって付勢されることになる。尚、付勢部材２８は、例えば引張バネから構成されており、そのバネ定数の調整を通じて、ゲートローラー２５３が繰出ベルト２２を介して紙幣Ｂを押圧するときの圧力（ゲート圧）の大きさ、ひいてはセット部２におけるグリップ力の大きさを調整することが可能である。
【００８５】
キックローラー２５４は、前後方向においてゲートローラー２５３よりも前方に配置されている。したがって、駆動ローラー２５１、ゲートローラー２５３及びキックローラー２５４は、紙幣Ｂの繰り出し方向に略平行な方向に沿って並ぶこととなる。キックローラー２５４は、繰出ベルト２２を介して紙幣を繰り出すように構成されており、セット部２に紙幣Ｂが挿入されたときに、その紙幣Ｂを繰り出し方向へ蹴り出す。
【００８６】
従動ローラー２５２は、前後方向においてキックローラー２５４と略同じ位置に配置されておりかつ、左右方向においてキックローラー２５４の左方（つまり、開口部２１から離れた位置）に配置されている。よって、駆動ローラー２５１、ゲートローラー２５３、キックローラー２５４、及び従動ローラー２５２は、平面視で一直線に並んでいるのではなく、図６及び図８に示すように、キックローラー２５４を角部とした逆Ｌ字状に並んでいる。従動ローラー２５２の外周面には、駆動ローラー２５１と同様に、繰出ベルト２２の歯と噛合する複数の歯が設けられている。
【００８７】
ガイドローラー３６は、紙幣Ｂを繰り出す方向に回転駆動される。つまり、ガイドローラー３６は、図６及び図８において時計回りに回転する。このように回転することにより、複数枚の紙幣Ｂの内の一枚を引き抜くように動作する。
【００８８】
分離ローラー３７は、繰り出し方向においてガイドローラー３６よりも上流側に位置する。分離ローラー３７と駆動ローラー２５１とは、ギアを介して駆動連結されている。分離ローラー３７は、紙幣Ｂの繰り出し方向とは反対向きに回転駆動される。つまり，分離ローラー３７は、図６及び図８において反時計回りに回転する。
【００８９】
セット部２は、紙幣Ｂが存在しない状態においては、駆動ローラー２５１とガイドローラー３６とで繰出ベルト２２を挟み込むと共に、ゲートローラー２５３と分離ローラー３７とで繰出ベルト２２を挟み込む。
【００９０】
一方、セット部２は、紙幣Ｂがセットされた状態においては、キックローラー２５４で紙幣Ｂを繰り出し方向へ蹴り出し、ゲートローラー２５３と分離ローラー３７とで紙幣Ｂを挟み込む。このとき、ゲートローラー２５３は、繰出ベルト２２を所定のゲート圧で押圧することにより、繰出ベルト２２を介して紙幣Ｂを挟み込む。挟み込まれた紙幣Ｂは、ゲートローラー２５３の回転によって、繰り出し方向へ送り出される。繰出ベルト２２によって複数枚の紙幣Ｂが繰り出されそうになっても、分離ローラー３７の反対向きの回転によって、繰出ベルト２２と接触する紙幣Ｂ以外の紙幣Ｂの繰り出しが阻止される。その後、セット部２は、ゲートローラー２５３が送り出した紙幣Ｂを、駆動ローラー２５１とガイドローラー３６とで挟み込むと共に、駆動ローラー２５１及びガイドローラー３６の回転によって、その紙幣Ｂを繰り出し方向へ送り出す。このとき、駆動ローラー２５１は、ゲートローラー２５３と同様に、繰出ベルト２２を介して紙幣Ｂを挟み込む。このように、紙幣Ｂは、立てた状態で繰り出され、識別部３内へ取り込まれていく。
【００９１】
尚、図５及び図９に示すように、駆動ローラー２５１の上端及び下端には、それぞれ、駆動側折込ローラー２５１ａが設けられている（下端側は図示省略）。一方で、ガイドローラー３６の上端及び下端には、それぞれ、駆動側折込ローラー２５１ａに対応する位置に、ガイド側折込ローラー３６ａが設けられている。このように構成することによって、ゲートローラー２５３から送り出された紙幣Ｂの繰り出し方向先側の上端部又は下端部が折れ気味だったときに、その折れ気味の部分を両折込ローラー２５１ａ、３６ａで挟み込むことによって、折れを矯正したり、紙幣Ｂの詰まりが生じない程度に折り込んだりすることができる。そのことで、紙幣Ｂの詰まりが抑制される。
【００９２】
以上説明したように、前記の構成によると、セット部２において、駆動ローラー２５１、ゲートローラー２５３、キックローラー２５４、及び従動ローラー２５２は、平面視でキックローラー２５４を角部とした逆Ｌ字状に並んでいる。この構成は、各種ローラーを装置１の前後方向に一直線に並べた構成よりも、紙幣Ｂの繰り出し方向においてコンパクトになる。
【００９３】
また、セット部２を構成する部品（各種ローラー、繰出ベルト２２及び付勢部材２８等）が紙幣Ｂの繰り出し方向に集約されるため、セット部２のモジュール化を図る上で有利になる。
【００９４】
また、モーター２６は、仕切板１３を挟んで繰出ベルト２２と反対側に配置されており、各種ローラーを仕切板１３の下側から駆動することができるため、紙幣Ｂを立てた状態で搬送する際に、セット部２を水平方向においてコンパクトにする上で有利になる。
【００９５】
このように、セット部２のコンパクト化、及び、モジュール化を図り、ひいては装置１を小型に形成することができる。
【００９６】
さらに、繰出ベルト２２のうちキックローラー２５４よりも上流側の部分は、開口部２１から離れる方向（具体的には、装置１の左方向）に延びている。複数枚の紙幣Ｂをセット部２にセットしたときに、紙幣Ｂの繰り出し方向先側の一部分は繰出ベルト２２に当たる一方で、繰り出し方向後側の一部分は当たらないようになる。こうすることにより、２枚以上の紙幣Ｂを同時にグリップしてしまうような事態を防止して、複数枚の紙幣Ｂの繰り出しを安定させることが可能になる。
【００９７】
以下、ガード部２３及び押え部２４の構成について詳細に説明する。
【００９８】
具体的に、ガード部２３は、図７等に示すように、第１ガード部２３１と、第２ガード部２３２と、係止部２３３とを有している。ガード部２３は、仕切板１３に対し回転軸Ｘの周りに揺動可能に支持されており、紙幣Ｂと繰出ベルト２２との接触を防止するガード状態（図６及び図７参照）と、紙幣Ｂと繰出ベルト２２との接触を可能とする退避状態（図８参照）との間で切り替わるように回動可能に構成されている。退避状態は、ガード部２３がガード状態から反時計回り方向に所定角度回転した状態である。セット部２がセット待ち状態のときに、ガード部２３はガード状態となる一方、セット部２が繰り出し状態のときに、ガード部２３が退避状態となる。
【００９９】
第１ガード部２３１は、ガード状態において、図７に示すように、繰出ベルト２２の側面のうち、開口部２１に近い方（即ち、仕切板１３から遠い方）の第１側面２２３と対向するように配置されている。第１ガード部２３１は、繰出ベルト２２の厚み方向において繰出ベルト２２の表面２２１よりも突出している。
【０１００】
第２ガード部２３２は、第１ガード部２３１の下方に配置されている。第２ガード部２３２は、ガード状態において、図７に示すように、繰出ベルト２２の側面のうち、開口部２１から遠い方（即ち、仕切板１３に近い方）の第２側面２２４と対向するように配置されている。第２ガード部２３２は、繰出ベルト２２の厚み方向において繰出ベルト２２の表面よりも突出している。
【０１０１】
第１ガード部２３１は、繰出ベルト２２の幅方向において第１側面２２３に近づくほど、繰出ベルト２２の厚み方向において表面２２１から離れるように傾斜した第１傾斜面２３４を有している。同様に、第２ガード部２３２は、繰出ベルト２２の幅方向において第２側面２２４から離れるほど、繰出ベルト２２の厚み方向において表面２２１から離れるように傾斜した第２傾斜面２３５を有している。つまり、第１傾斜面２３４及び第２傾斜面２３５は、繰出ベルト２２の幅方向においてセット部２の奥に行くほど、繰出ベルト２２の厚み方向において表面２２１から離れるように傾斜している。
【０１０２】
係止部２３３は、第１ガード部２３１の上面に突設されている。係止部２３３は、第１ガード部２３１において、回転軸Ｘを挟んで第１傾斜面２３４と反対側に配置されている。係止部２３３には、付勢部材２９が係止されている。付勢部材２９は、ガード部２３を図８において時計回り方向に付勢する。
【０１０３】
ガード部２３は、付勢部材２９によって、ガード状態に維持されるように付勢される。ガード状態においては、前述の如く、第１ガード部２３１及び第２ガード部２３２が、繰出ベルト２２の厚み方向において繰出ベルト２２の表面２２１よりも突出した状態となっている。一方、後述のように、押え部２４によって押されることでガード部２３が退避状態になったときには、第１ガード部２３１及び第２ガード部２３２が、繰出ベルト２２の厚み方向において表面２２１よりも引っ込んだ位置に退避している。つまり、上下方向に見たときに、ガード状態においては、繰出ベルト２２の第１側面２２３が第１ガード部２３１によって隠れているのに対し、退避状態においては、その第１側面２２３が露出する。
【０１０４】
押え部２４は、本体部２４０と、第１当接部２４１と、第２当接部２４２と、駆動シャフト２４３とを有している。
【０１０５】
本体部２４０は、概ね板状の形状を有している。本体部２４０は、繰出ベルト２２と対向する位置に配置されている。
【０１０６】
第１当接部２４１及び第２当接部２４２は、本体部２４０のうち、繰出ベルト２２と対向する面において、本体部２４０から突出するように設けられている。第１当接部２４１及び第２当接部２４２は、上下方向に配列されている。繰出ベルト２２の厚み方向において、第１当接部２４１と第１ガード部２３１とが対向し、第２当接部２４２と第２ガード部２３２とが対向している。
【０１０７】
第１当接部２４１は、繰出ベルト２２の幅方向においてセット部２の奥に行くほど繰出ベルト２２の厚み方向において本体部２４０から離れるように傾斜した第３傾斜面２４４を有している。同様に、第２当接部２４２は、繰出ベルト２２の幅方向においてセット部２の奥に行くほど繰出ベルト２２の厚み方向において本体部２４０から離れるように傾斜した第４傾斜面２４５を有している。
【０１０８】
本体部２４０は、駆動シャフト２４３に連結されている。駆動シャフト２４３は、仕切板１３に対し垂直方向に延び、仕切板１３に回転自在に支持されている。駆動シャフト２４３は、仕切板１３の裏面側に配置されたモーター（図示省略）により回転駆動される。押え部２４は、駆動シャフト２４３が回転駆動されることによって、本体部２４０が紙幣Ｂの繰り出し方向に対し略平行な退避状態（図６参照）と、本体部２４０が図６において反時計回り方向に所定角度回転した押え状態（図８参照）との間で状態が切り替わる。押え部２４が退避状態のときに、ガード部２３がガード状態となり、押え部２４が押え状態のときに、ガード部２３が退避状態となる。そして、セット部２がセット待ち状態のときに、押え部２４は退避状態となる一方、セット部２が繰り出し状態のときに、押え部２４は押え状態となる。
【０１０９】
押え部２４が退避状態になっているとき、第１当接部２４１及び第２当接部２４２は、繰出ベルト２２から十分に離れた位置に位置している。繰出ベルト２２の厚み方向において、第１当接部２４１と第１ガード部２３１との間、及び、第２当接部２４２と第２ガード部２３２との間には、それぞれ、十分な間隔が確保されている。この状態では、押え部２４は、ガード部２３の回転（具体的には、図６における時計回りの回転）を許容することとなり、ガード部２３は、付勢部材２８による付勢に従って、ガード状態になる。
【０１１０】
一方、押え状態においては、第１当接部２４１及び第２当接部２４２が、紙幣Ｂに当接し、紙幣Ｂを繰出ベルト２２の表面２２１に押し付ける。前述の如く、押え部２４が押え状態となるときには、それに連動してガード部２３が退避状態となる。詳しくは、押え部２４が押え状態にあるときには、繰出ベルト２２の厚み方向において、第１当接部２４１と第１ガード部２３１との間、及び、第２当接部２４２と第２ガード部２３２との間の間隔が、退避状態にあるときよりも狭まることになる。そのことで、押え部２４は、ガード部２３の回転を規制することとなり、ガード部２３は、退避状態に保持される。ガード部２３が退避状態にあり且つ、押え部２４が押え状態にあるときに、第１当接部２４１及び第２当接部２４２は、紙幣Ｂに当接することになる。
【０１１１】
続いて、セット部２の動作について説明する。セット部２がセット待ち状態のとき、つまり、紙幣Ｂをセットするべく待機しているときには、ガード部２３はガード状態となり、押え部２４は退避状態となっている。そのため、開口部２１を介して上方からセット部２を見た場合に、繰出ベルト２２の第１側面２２３は、第１ガード部２３１で覆われて露出していない。そのため、紙幣Ｂを、開口部２１を介して上方から、即ち、繰出ベルト２２の幅方向に挿入する場合であっても、紙幣Ｂが繰出ベルト２２の第１側面２２３に引っ掛かることなく、紙幣Ｂをセット部２にスムースに挿入することができる。
【０１１２】
また、このとき、押え部２４は、ガード部２３との間に十分な間隔を有する位置に配置されている。そのため、紙幣Ｂをガード部２３又は押え部２４に接触させることなく、セット部２にスムースに挿入することができる。
【０１１３】
仮に、紙幣Ｂが第１ガード部２３１に接触したとしても、第１ガード部２３１は、第１傾斜面２３４を有している。第１傾斜面２３４は、繰出ベルト２２の幅方向においてセット部２の奥に行くほど、繰出ベルト２２の厚み方向において表面２２１から離れるように傾斜している。そのため、紙幣Ｂが第１ガード部２３１に接触しても、紙幣Ｂは、セット部２の奥に進むにつれて繰出ベルト２２の表面２２１から離れるように第１傾斜面２３４によって案内される。こうして、紙幣Ｂはセット部２の奥へスムースに案内される。
【０１１４】
さらに、繰出ベルト２２の第２側面２２４に対向する位置に第２ガード部２３２が設けられ、第２ガード部２３２は、繰出ベルト２２の厚み方向において表面２２１よりも突出している。そのため、セット部２の奥の方でも、紙幣Ｂの繰出ベルト２２への接触が第２ガード部２３２によって防止される。
【０１１５】
また、第２ガード部２３２は、繰出ベルト２２の幅方向においてセット部２の奥に行くほど、繰出ベルト２２の厚み方向において表面２２１から離れるように傾斜した第２傾斜面２３５を有している。そのため、紙幣Ｂが第２ガード部２３２に接触しても、紙幣Ｂは、セット部２の奥に進むにつれて繰出ベルト２２の表面２２１から離れるように第２傾斜面２３５によって案内される。こうして、紙幣Ｂはセット部２の奥へスムースに案内される。
【０１１６】
さらに、紙幣Ｂが押え部２４に接触する場合もあり得る。特に、押え部２４においては、第１当接部２４１及び第２当接部２４２が本体部２４０から突出しているので、紙幣Ｂが第１当接部２４１又は第２当接部２４２に接触する場合があり得る。しかし、第１当接部２４１は、繰出ベルト２２の幅方向においてセット部２の奥に行くほど、繰出ベルト２２の厚み方向において本体部２４０から離れるように傾斜した第３傾斜面２４４を有している。そのため、紙幣Ｂが第１当接部２４１に接触しても、紙幣Ｂは、セット部２の奥に進むにつれて本体部２４０から離れるように第３傾斜面２４４によって案内される。こうして、紙幣Ｂはセット部２の奥へスムースに案内される。また、第２当接部２４２は、繰出ベルト２２の幅方向においてセット部２の奥に行くほど、繰出ベルト２２の厚み方向において本体部２４０から離れるように傾斜した第４傾斜面２４５を有している。そのため、紙幣Ｂが第２当接部２４２に接触しても、紙幣Ｂは、セット部２の奥に進むにつれて本体部２４０から離れるように第４傾斜面２４５によって案内される。こうして、紙幣Ｂはセット部２の奥へスムースに案内される。
【０１１７】
続いて、セット部２が繰り出し状態になると、ガード部２３は退避状態となり、押え部２４は押え状態となる。ガード部２３が退避状態となることにより、繰出ベルト２２の表面２２１が紙幣Ｂと接触可能な状態となると共に、押え部２４が押え状態となることにより、紙幣Ｂが繰出ベルト２２の表面２２１に押し付けられる。こうして、紙幣Ｂが繰出ベルト２２の表面２２１に接触することにより、紙幣Ｂが繰出ベルト２２により適切に繰り出されていく。
【０１１８】
尚、前述の如く、繰出ベルト２２によって繰り出された紙幣Ｂは分離ローラー３７を通過することによって、１枚の紙幣Ｂだけがガイドローラー３６まで搬送され、ガイドローラー３６によって識別部３の内部へ取り込まれていく。
【０１１９】
以上のように、繰出ベルト２２の幅方向の一方側に開口する開口部２１を有するセット部２に紙幣Ｂを該幅方向から挿入する場合であっても、第１ガード部２３１を設けることによって、紙幣Ｂが繰出ベルト２２の側面に引っ掛かることを防止することができる。これにより、紙幣Ｂをセット部２へスムースに挿入することができる。
【０１２０】
それに加えて、第１ガード部２３１に第１傾斜面２３４を設けることによって、紙幣Ｂが第１ガード部２３１に接触したとしても、紙幣Ｂをセット部２の奥の方へスムースに案内することができる。
【０１２１】
また、第２ガード部２３２を設けることによって、セット部２の奥の方でも、紙幣Ｂが繰出ベルト２２に接触することを防止することができる。さらに、第２ガード部２３２に第２傾斜面２３５を設けることによって、紙幣Ｂが第２ガード部２３２に接触したとしても、紙幣Ｂをセット部２のさらに奥の方へスムースに案内することができる。
【０１２２】
また、セット部２が繰り出し時に紙幣Ｂに当接する第１当接部２４１および第２当接部２４２を有する押え部２４を備える構成であっても、第１当接部２４１に第３傾斜面２４４を設け、第２当接部２４２に第４傾斜面２４５を設けることによって、紙幣Ｂが第１当接部２４１又は第２当接部２４２に接触したとしても、紙幣Ｂをセット部２の奥の方へスムースに案内することができる。
【０１２３】
このように、装置１においては、紙幣Ｂをセット部２へ開口部２１を介して繰出ベルト２２の幅方向に挿入する場合であっても、紙幣Ｂをスムースに挿入することができる。これにより、紙幣Ｂを繰り出し方向とは異なる方向からセット部２に挿入することができる。
【０１２４】
尚、開口部２１は、繰り出し方向において紙幣Ｂが繰り出される向きとは反対側（即ち、装置１の前方）にも開口しているので、紙幣Ｂを繰り出し方向からセット部２に挿入することもできる。この場合においても、ガード状態における第１ガード部２３１及び第２ガード部２３２が繰出ベルト２２の表面２２１よりも突出した状態となっているので、紙幣Ｂを表面２２１に接触させることなく、セット部２に挿入することができる。
【０１２５】
また、付勢部材２９を設けることによって、モーター等の駆動手段を設けずとも、ガード部２３を退避状態からガード状態に切り替えることができるため、セット部２を安価にかつ、コンパクトに構成する上で有利になる。
【０１２６】
−セット部に関する他の形態−
尚、セット部２は、ガード部２３を有しているが、ガード部２３を省略してもよい。また、ガード部２３は、第１ガード部２３１及び第２ガード部２３２を有しているが、第１ガード部２３１又は第２ガード部２３２を省略してもよい。また、第１ガード部２３１及び第２ガード部２３２には、それぞれ第１傾斜面２３４及び第２傾斜面２３５が設けられているが、第１傾斜面２３４及び第２傾斜面２３５の少なくとも一方を省略してもよい。
【０１２７】
また、セット部２は、押え部２４を有しているが、押え部２４の第１当接部２４１及び第２当接部２４２を省略し、本体部２４０で紙幣Ｂを繰出ベルト２２に押し付けるようにしてもよい。また、第１当接部２４１及び第２当接部２４２の何れか一方を省略してもよい。さらに、第１当接部２４１及び第２当接部２４２には、それぞれ第３傾斜面２４４及び第４傾斜面２４５が設けられているが、第３傾斜面２４４及び第４傾斜面２４５の少なくとも一方を省略してもよい。
【０１２８】
また、前記の構成では、開口部２１は、上方及び前方に開口しているが、上方だけに開口する構成であってもよい。その場合、開口部２１は、挿入される紙幣Ｂよりも大きく形成される。
【０１２９】
また、グリップローラー３５、分離ローラー３７及びゲートローラー２５３によって、紙幣Ｂを識別部３へスムースに送り込むことができるのであれば、ガイドローラー３６は省略してもよい。
【０１３０】
（識別部の構成）
次に、識別部３の構成について詳細に説明する。図１０は、識別部３のうち第２ガイド５６に形成された部分を示している。図１１は、セット部２及び識別部３の構成、及び、セット部２と識別部３との間の位置関係を平面視で示している。識別部３は、紙幣Ｂの表面及び裏面の画像を取得する光学センサ３１、紙幣Ｂの厚みを検知する厚みセンサ３２、及び、紙幣Ｂの磁気特性を検知する磁気センサ３３を有している。光学センサ３１によって取得した紙幣Ｂの画像、及び、磁気センサ３３が取得した紙幣Ｂの磁気特性に基づいて、紙幣Ｂが計数対象の通貨であるか否かの判定、真券であるか偽券であるかの判定、正券であるか損券であるかの判定、及び、紙幣Ｂの金種の判定を行う。また、厚みセンサ３２が検知した紙幣Ｂの厚みの情報に基づいて、紙幣Ｂが一枚であるか、二枚以上重なって搬送されているかを判定する。
【０１３１】
光学センサ３１は、図１０及び図１１に示すように、長手の縁を下にして立てた状態で、長手搬送される紙幣Ｂの表面側と裏面側とのそれぞれに配設されている。光学センサ３１は、紙幣Ｂの短手長さの全域に亘って延びて配設されている。光学センサ３１の上端は、図１０に二点鎖線で示す、この装置１において計数可能な紙幣Ｂの内、最もサイズが大きい紙幣Ｂの上端よりも高い位置となる。
【０１３２】
厚みセンサ３２は、光学センサ３１に対し、搬送方向（つまり、図１０及び図１１に示す紙面左から右に向かう方向）の進み側に配置されている。厚みセンサ３２は、立てた状態で長手搬送される紙幣Ｂの表面側と裏面側とに配設されかつ、紙幣Ｂを厚み方向に挟み込む従動ローラー３２１及び駆動ローラー３２２によって構成されている（図１１参照）。厚みセンサ３２と、光学センサ３１とは、互いに動作に影響しない距離を保って配置されている。厚みセンサ３２はまた、仕切板１３から所定の高さ位置に配設されている。厚みセンサ３２は、ガイド５５によって覆われる紙幣Ｂの部分に対応する高さに配設されている。厚みセンサ３２の高さは、この装置１において計数可能な紙幣Ｂの内で、最もサイズの大きい紙幣Ｂ（図１０の二点鎖線参照）の、短手方向のほぼ中央に相当する。紙幣Ｂは、その長手の縁が、仕切板１３の上面に当たった状態で搬送される。このため、前記の高さ位置に配置した厚みセンサ３２は、識別部３を通過する紙幣Ｂを必ず挟むようになる。
【０１３３】
磁気センサ３３は、厚みセンサ３２に対して、搬送方向の進み側に配置されている。したがって、光学センサ３１、厚みセンサ３２及び磁気センサ３３は、装置１の前から後に向かって、この順番で配設されている。磁気センサ３３と、厚みセンサ３２とは、互いに動作に影響しない距離を保って配置されている。磁気センサ３３はまた、仕切板１３から所定の高さ位置に配設されている。磁気センサ３３は、ガイド５５によって覆われる紙幣Ｂの部分に対応する高さに配設されている。磁気センサ３３の高さは、この装置１において計数可能な紙幣Ｂの内、最もサイズの小さい紙幣Ｂの短手方向のほぼ中央に相当する。磁気センサ３３を、前記の高さ位置に配置することによって、識別部３を通過する紙幣Ｂの磁気特性を、必ず検知することができる。
【０１３４】
光学センサ３１に対し、搬送方向の遅れ側（つまり、図１１における紙面左側）には、第６センサ６０６が配設されている。第６センサ６０６は、識別部３内に送り込まれた紙幣Ｂの先端を検知する。第６センサ６０６が紙幣Ｂの先端を検知したタイミングに基づいて、光学センサ３１、厚みセンサ３２及び磁気センサ３３はそれぞれ、その検知のタイミングを設定する。
【０１３５】
光学センサ３１は、紙幣Ｂの短手長さの全域に亘って延びて配設されるため、紙幣Ｂの表面全体及び裏面全体の画像を取得することができる。識別に利用する情報量が多くなるため、識別の精度が向上する。また、多くの情報に基づいて速やかに識別を行うことができ、識別に要する時間も短縮する。
【０１３６】
一方、厚みセンサ３２及び磁気センサ３３は、搬送路の開口部５０よりも下側に配設されている。厚みセンサ３２及び磁気センサ３３は、紙幣Ｂにおいて、開口部５０から飛び出した部分の情報を取得することができない。しかしながら、紙幣Ｂの厚みを検出することによって、紙幣Ｂが二枚以上重なっていないか否かを判定するだけであれば、紙幣Ｂの一部分において厚みを検出すれば、正確な判定を行うことが可能である。また、磁気センサ３３によって取得することができる情報量は、比較的少ないが、この装置１は、前述の通り、計数対象の紙幣Ｂを人が見ながら、計数を行うことが可能である。磁気センサ３３によって取得することができる情報量が少なくなったとしても、この装置１は、識別の精度及び信頼性が低下することはない。
【０１３７】
光学センサ３１の配設位置に、外からの光が入ると光学センサ３１が取得する画像の精度が低下してしまう。また、光学センサ３１は、前述したように、立てて搬送される紙幣Ｂの上端よりも高い位置まで延びている。そこで、識別部３は、光学センサ３１を覆うカバー部３４を有している。カバー部３４は、第１ガイド５５及び第２ガイド５６よりも上方に突出している。カバー部３４は、装置１の前後方向（図１０における紙面左右方向）に広がっている。これにより、光学センサ３１の配設箇所に光が入ることを防止している。
【０１３８】
カバー部３４の前側には、図１に示すように、紙幣Ｂが進入する入口部３４１が形成されている。また、図２に示すように、カバー部３４の後側には、紙幣Ｂが退出する出口部３４２が形成されている。入口部３４１及び出口部３４２を有するカバー部３４によって、識別部３はトンネル状となる。入口部３４１はセット部２に連続する。出口部３４２は搬送部５の開口部５０に連続する。仕切板１３の上面から入口部３４１及び出口部３４２の上端までの距離は、この装置１において計数可能な紙幣Ｂの内で、最もサイズの大きい紙幣Ｂの短手長さよりも長い。光学センサ３１、厚みセンサ３２及び磁気センサ３３は全て、仕切板１３の上面から入口部３４１及び出口部３４２の上端までの範囲内に位置している。光学センサ３１、厚みセンサ３２及び磁気センサ３３は全て、立てた状態で搬送される紙幣Ｂの側方に位置する。
【０１３９】
入口部３４１は、図１０に示すように、紙幣Ｂの搬送方向に対して上り勾配となるように傾斜している。入口部３４１の傾斜箇所の根元は、セット部２の上端部に位置する。入口部３４１の傾斜角度θは、図１０に示す装置１では、４５°以下である。入口部３４１を傾斜させることで、入口部３４１から進入する紙幣Ｂの搬送方向先側の縁部が曲がっていたり、折れ気味であったりしたときでも、紙幣Ｂの搬送方向先側の縁部と入口部３４１とが徐々に交差しながら、紙幣Ｂが入口部３４１に進入するようになる。このため、紙幣Ｂの曲がりや折れを矯正することができる。識別部３の入口部３４１において、紙幣の詰まりが生じることが抑制される。紙幣Ｂは、スムースに、入口部３４１から識別部３内に進入する。尚、本実施例では、出口部３４２は、紙幣Ｂの搬送方向に対してほとんど傾斜していないが、出口部３４２は、紙幣Ｂの搬送方向に対して傾斜している必要はない。すなわち、出口部３４２の傾斜角度は、０°であってもよい。
【０１４０】
光学センサ３１に対して、装置１の前側には、グリップローラー３５が配設されている。グリップローラー３５は、光学センサ３１の動作に影響しない距離を保って配置されている。セット部２から繰り出された紙幣Ｂを挟み込むと共に、当該紙幣Ｂを識別部３内へ引き込むように構成されている。詳しくは、グリップローラー３５は、立てた状態で長手搬送される紙幣Ｂの表面側と裏面側とに配設されかつ、紙幣Ｂを厚み方向に挟み込むローラーによって構成されている。これらのローラーは、セット部２から繰り出された紙幣Ｂを識別部３内へ引き込む方向に回転する。尚、グリップローラー３５は、「引込ローラー」の一例である。
【０１４１】
グリップローラー３５に対して、装置１の前側には、札叩きローラー３８が配設されている。札叩きローラー３８は、グリップローラー３５の動作に影響しない距離を保って配置されている。具体的に、札叩きローラー３８は、前述のセット部２とグリップローラー３５との間に配置されている。札叩きローラー３８は、セット部２から繰り出されて識別部３へ搬送中の紙幣Ｂの紙面を叩くように構成されている。詳しくは、札叩きローラー３８は、立てた状態で長手搬送される紙幣Ｂの一面側（この例では、装置１の左側）に配設されている。札叩きローラー３８は、上下に並ぶ２つのローラーによって構成されている。２つのローラーは、それぞれ、平面視で羽根車状に形成されており、セット部２から繰り出された紙幣Ｂの表面又は裏面を叩くことができるように配置されている。札叩きローラー３８は、図１１において反時計回りに回転駆動されている。札叩きローラー３８は、セット部２から繰り出された紙幣Ｂにたわみが生じていたとしても、そのたわみを矯正しつつ、識別部３内へ安定的に送り出すことができる。
【０１４２】
札叩きローラー３８に対して、装置１の前側には、前述のガイドローラー３６が配設されている。ガイドローラー３６は、グリップローラー３５及び札叩きローラー３８の動作に影響しない距離を保って配置されている。詳しくは、ガイドローラー３６は、入口部３４１の傾斜箇所に対応する搬送方向の位置に配設されている。ガイドローラー３６の配設箇所には力が加わるが、ガイドローラー３６を入口部３４１の傾斜箇所に対応する位置に配設することで、配設箇所の強度を確保することができる。また、図１０においてガイドローラー３６の奥側には、前述の繰出ベルト２２と駆動ローラー２５１とがこの順で配置されている。
【０１４３】
ガイドローラー３６は、セット部２から識別部３へ紙幣Ｂを案内するローラーである。ガイドローラー３６で識別部３へ案内された紙幣Ｂは、グリップローラー３５によって、確実に、識別部３を通過する。尚、前述の如く、ガイドローラー３６は省略してもよい。
【０１４４】
ガイドローラー３６に対して、装置１の前側には、前述の分離ローラー３７が配設されている。分離ローラー３７は、セット部２から紙幣Ｂを一枚ずつ繰り出すために、紙幣Ｂの繰り出し方向とは逆方向に回転をする。分離ローラー３７とガイドローラー３６とは、互いに動作に影響しない距離を保って配置されている。また、図１０において分離ローラー３７の奥側には、繰出ベルト２２とゲートローラー（図１１参照）２５３とがこの順で配置されている。
【０１４５】
識別部３は、入口部３４１と出口部３４２とを有しかつ、紙幣Ｂが通過をするトンネル状に構成されている。図１０に示すように、紙幣Ｂが識別部３を通過するときに、紙幣Ｂの搬送方向先側の一部分が出口部３４２から出た状態で、紙幣Ｂの搬送方向後側の一部分が入口部３４１に入る前の状態となる（図１０の網掛け部分を参照）。識別部３のカバー部３４は、その前後方向の長さが長くなりすぎないように構成されている。入口部３４１の根元から出口部３４２の根元までの距離Ｌ１は、装置１において計数可能な紙幣Ｂの内、最もサイズが小さい紙幣Ｂの長手長さよりも短い。これにより、紙幣Ｂが識別部３を通過するときでも、紙幣Ｂの少なくとも一部分は見ることができる。つまり、紙幣Ｂの全体が識別部３の内部に入って外から見えなくなる状態になることが回避される。こうして、この装置１は、人が常に紙幣Ｂを見ながら、計数を行うことができる。この装置１は、計数結果の高い信頼性を確保することができる。
【０１４６】
−識別部に関する他の形態−
尚、前記の構成では、識別部３の光学センサ３１を、紙幣Ｂの短手長さよりも長くすると共に、識別部３をトンネル状にしている。しかしながら、光学センサ３１の長さを、第１ガイド５５及び第２ガイド５６の高さ以下となるまで短くしてもよい。この構成では、図１２に示すように、識別部３のカバー部３４を省略することが可能である。識別部３は、トンネル状でなくてもよい。この構成では、光学センサ３１は、紙幣Ｂの一部分の画像を取得することになるが、その場合でも、紙幣Ｂの識別は可能である。
【０１４７】
（厚みセンサのホコリ対策）
厚みセンサ３２は、前述したように、立てた状態で搬送される紙幣Ｂの表面側と裏面側とに配設されかつ、紙幣Ｂを厚み方向に挟み込むローラーによって構成されている。より詳細に厚みセンサ３２は、図１０、図１１、及び図２０〜２２に示すように、上下方向に並んだ２つの従動ローラー３２１と、同じく上下方向に並んだ２つの駆動ローラー３２２と、を有している。２つの従動ローラー３２１は、紙幣Ｂを挟んだ一方の側に配設され、２つの駆動ローラー３２２は、紙幣Ｂを挟んだ他方の側に配設される。２つの従動ローラー３２１は、上下方向に伸びる同じ回転軸３２３に支持されている。回転軸３２３が回転することによって、２つの従動ローラー３２１は共に、回転する。２つの駆動ローラー３２２も、上下方向に伸びる同じ回転軸３２４に支持されている。
【０１４８】
従動ローラー３２１の回転軸３２３は、変位検知部３２５に支持されている。変位検知部３２５は、２つの従動ローラー３２１を、駆動ローラー３２２に押しつけるように、回転軸３２４を支持している。変位検知部３２５はまた、２つの従動ローラー３２１が、駆動ローラー３２２から離れる方向に変位することを許容するように、回転軸３２３を支持している。変位検知部３２５は、従動ローラー３２１の変位量を検知するよう構成されている。変位量の検知は、例えば従動ローラー３２１の変位に伴って動く磁石と、磁石の変位を検出するホール素子と、によって構成してもよい。
【０１４９】
従動ローラー３２１の変位量を検知することによって、厚みセンサ３２は、紙幣Ｂの厚みを検知する。このため、従動ローラー３２１の表面にゴミや、ホコリが付着していると、そうしたゴミやホコリによって従動ローラー３２１が変位してしまい、紙幣Ｂの厚みを誤検知してしまう恐れがある。そこで、この厚みセンサ３２には、従動ローラー３２１の表面に付着したゴミやホコリを取り除く除去部３２６を有している。
【０１５０】
除去部３２６は、従動ローラー３２１の回転軸３２３を挟んで、紙幣Ｂの搬送方向の進み側（つまり、図２１における紙面の上側）に配設されている。除去部３２６は、従動ローラー３２１の表面に当接する先端部を有する板ばねによって構成されている。除去部３２６の基端部は、変位検知部３２５に固定されている。除去部３２６の先端部は、従動ローラー３２１の表面に押しつけられている。従動ローラー３２１の表面に付着したゴミやホコリは、従動ローラー３２１の回転に伴い、除去部３２６の先端に掻き取られるようになる。こうして、従動ローラー３２１の表面に付着したゴミやホコリに起因する厚みセンサ３２の誤検知が防止される。
【０１５１】
除去部３２６によって掻き取られたゴミやホコリは、図２１に仮想的に示すように、除去部３２６の先端部分に堆積する。堆積したゴミやホコリは、自重により、落下する。図２２に示すように、従動ローラー３２１の下方には、ゴミやホコリを収納可能なスペース３２７が設けられている。この紙幣計数装置１は、紙幣Ｂを立てた状態で搬送するため、厚みセンサ３２の従動ローラー３２１は、その回転軸３２３が上下方向に伸びている。そのため、堆積したゴミやホコリを、そのまま下方に落下させることが可能である。こうして、従動ローラー３２１の表面から除去したゴミやホコリを、所定のスペース３２７に収納することが可能になるから、集まったゴミやホコリによって、識別部３の識別に支障が生じてしまうことを未然に防止することが可能になる。
【０１５２】
尚、スペース３２７に溜まったゴミやホコリは、紙幣計数装置１のメンテナンス時に、紙幣計数装置１を分解することで、取り除くことが可能である。
【０１５３】
（セット部及び識別部の双方に関係する構成）
前述の如く、セット部２に設けられた繰出ローラー２５１、２５３は、セット部２にセットされた紙幣Ｂを挟み込むと共に、その紙幣Ｂを識別部３へ繰り出すように構成されている。繰出ローラー２５１、２５３としての駆動ローラー２５１は、繰出ベルト２２を介して、ガイドローラー３６と共に紙幣Ｂを挟み込む。繰出ローラー２５１、２５３としてのゲートローラー２５３は、繰出ベルト２２を介して、分離ローラー３７と共に紙幣Ｂを挟み込む。
【０１５４】
また、図１１に示すように、セット部２は、所定の繰出速度Ｖ１で移動するように紙幣Ｂを繰り出す。繰出速度Ｖ１は、駆動ローラー２５１の回転速度を介して設定される。繰出速度Ｖ１は、この例では、約１９００ｍｍ／ｓｅｃに設定されている。
【０１５５】
さらに、セット部２は、紙幣Ｂを所定のグリップ力Ｆ１で挟み込むように構成されている。グリップ力Ｆ１は、各種ローラーや繰出ベルト２２の構成、例えば、各種ローラーのサイズ、数及び材質や、ゲート圧の大きさや、繰出ベルト２２の動摩擦係数等に基づいて設定される。
【０１５６】
一方、識別部３には、セット部２から繰り出された紙幣Ｂを挟み込むと共に、当該紙幣Ｂを識別部３内へ引き込むように構成されたグリップローラー３５が設けられている。グリップローラー３５は、紙幣Ｂを表裏両側から挟み込む。
【０１５７】
また、識別部３は、所定の引込速度Ｖ２で移動するように紙幣Ｂを引き込むよう構成されている。ここで、セット部２において紙幣Ｂの繰り出しを行う駆動源と、識別部３以降において、紙幣Ｂの搬送を行う駆動源とは、互いに独立している。引込速度Ｖ２は、グリップローラー３５の回転速度を介して設定される。引込速度Ｖ２は、この例では、約１６００ｍｍ／ｓｅｃに設定されている。
【０１５８】
さらに、識別部３は、紙幣Ｂを所定のグリップ力Ｆ２で挟み込むように構成されている。グリップ力Ｆ２は、グリップローラー３５の構成、例えば、グリップローラー３５のサイズ、数、及び材質等に基づいて設定される。
【０１５９】
そして、装置１においては、繰出ローラー２５１、２５３のうち、搬送方向の奥側に位置する駆動ローラー２５１からグリップローラー３５までの距離Ｌ２（図１１参照）は、装置１において計数可能な紙幣Ｂの内、最もサイズが小さい紙幣Ｂの搬送方向の長さよりも短くなるように構成されている。この実施形態では、駆動ローラー２５１からグリップローラー３５までの距離Ｌ２は、駆動ローラー２５１の位置からグリップローラー３５の位置までの前後方向の長さとして定義されている。駆動ローラー２５１の位置は、駆動ローラー２５１とガイドローラー３６とが繰出ベルト２２を介して接触する位置として定義されている。グリップローラー３５の位置は、グリップローラー３５を構成するローラーが、紙幣Ｂを表裏両側から挟み込む位置として定義されている。
【０１６０】
この構成によると、駆動ローラー２５１とグリップローラー３５との間隔が短くなるから、その短くなった分だけ、装置１を前後方向において小型に形成することができる。
【０１６１】
尚、このような構成とすることによって、紙幣Ｂの搬送方向先側の一部分がグリップローラー３５に挟み込まれたときに、その紙幣Ｂの搬送方向後側の一部分が、駆動ローラー２５１とガイドローラー３６とにより挟み込まれる場合がある。その場合、セット部２側と識別部３側とで紙幣Ｂの引っ張り合いが生じてしまい、識別部３における紙幣Ｂの搬送速度が変動し、紙幣Ｂの識別を安定して行う上で支障を来す虞がある。
【０１６２】
そこで、装置１においては、セット部２側の繰出速度Ｖ１は、識別部３側の引込速度Ｖ２よりも速くなるように設定されている（Ｖ１＞Ｖ２）。
【０１６３】
この構成によると、紙幣Ｂの搬送方向後側の一部分は、搬送方向先側の一部分よりも速く移動することになるため、紙幣Ｂは、搬送方向後側から先側へ押し込まれるようになる。したがって、紙幣Ｂの引っ張り合いが解消されて、識別を安定して行うことができる。
【０１６４】
さらに、装置１においては、セット部２側（繰出部側）のグリップ力Ｆ１は、識別部３側（グリップローラー３５側）のグリップ力Ｆ２よりも小さくなるように設定されている（Ｆ１＜Ｆ２）。
【０１６５】
この構成によると、紙幣Ｂの搬送方向先側の一部分は、搬送方向後側の一部分よりも強く挟み込まれる。こうすることで、紙幣Ｂの引っ張り合いが生じたときに、搬送方向先側の一部分が安定的に引き込まれることになる。そのことで、紙幣Ｂの引っ張り合いが解消されて、紙幣Ｂの識別へ及ぼす影響を低減することができる。
【０１６６】
また、セット部２とグリップローラー３５との間には、札叩きローラー３８が配置されているから、セット部２側と識別部３側で速度やグリップ力を異ならせた結果、セット部２から繰り出された紙幣Ｂにたわみが生じたとしても、札叩きローラー３８がその紙幣Ｂの紙面を叩くことにより、前述の如く、紙幣Ｂのたわみを矯正しつつ、識別部３内へ安定的に送り出すことができる。そのことで、立てた状態で搬送される紙幣Ｂの座屈、ひいては紙幣Ｂの詰まりを防止することが可能になる。
【０１６７】
尚、前述の如く、ガイドローラー３６を省略することが可能である。ガイドローラー３６を省略した場合、ゲートローラー２５３からグリップローラー３５までの距離Ｌ３（図１１）が、装置１において計数可能な紙幣Ｂの内、最もサイズが小さい紙幣Ｂの長手方向の長さよりも短くなるように構成すればよい。その場合、ゲートローラー２５３からグリップローラー３５までの距離Ｌ３は、ゲートローラー２５３の位置からグリップローラー３５の位置までの前後方向の長さとして定義される。ゲートローラー２５３の位置は、ゲートローラー２５３と分離ローラー３７とが繰出ベルト２２を介して接触する位置として定義される。
【０１６８】
（セット部と識別部との間の紙幣の搬送制御）
識別部３を通過する紙幣Ｂの速度は、所定の速度で一定であることが、光学センサ３１、厚みセンサ３２及び磁気センサ３３による検出を安定化させ、識別精度を確保する上で重要である。
【０１６９】
セット部２から繰り出される紙幣Ｂは、所定の間隔を空けて、順次繰り出される。この紙幣計数装置１は、前述したように、セット部２と識別部３との間の距離を短くしている。このことに起因して、次のような不都合が生じる。
【０１７０】
つまり、紙幣Ｂと紙幣Ｂとの間に所定の間隔を空けながら、紙幣Ｂを順次繰り出そうとすると、例えば、識別部３に設けた第６センサ６０６が（先の）紙幣Ｂの先端を検知してから、所定の搬送距離だけ紙幣Ｂを搬送した時点で、セット部２は、次の紙幣Ｂの繰り出しを一旦、停止する。そして、その後、セット部２は、次の紙幣Ｂの繰り出しを再開する。ここで、セット部２が、次の紙幣Ｂの繰り出しを停止したときの、当該次の紙幣Ｂの先端位置は、先の紙幣Ｂの長手方向の長さに依存する。つまり、先の紙幣Ｂの長さが短いときには、長いときに比べて、次の紙幣Ｂの先端位置は、搬送方向の先側（つまり、識別部３に近い側）になる。
【０１７１】
このため、次の紙幣Ｂの繰り出しを再開するときの、当該次の紙幣Ｂの先端位置と、識別部３までの距離が、一定にならない。次の紙幣Ｂの繰り出しを再開するときの、当該次の紙幣Ｂの先端位置から識別部３までの距離が短いと、紙幣Ｂの加速時間が短くなって、紙幣Ｂの搬送速度が所定の速度にまで到達しないうちに、紙幣Ｂが識別部３に進入するようになる。この場合、識別部３を通過する紙幣Ｂの速度が、所定の速度で一定とならないため、識別精度が低下する恐れがある。
【０１７２】
そこで、この紙幣計数装置１は、識別部３を通過する紙幣Ｂの速度が、所定の速度で一定となるように、セット部２と識別部３との間の搬送を制御している。具体的には、セット部２と識別部３との間に配設した第７センサ６０７を利用して、紙幣Ｂの搬送を制御している。
【０１７３】
次に、図２３Ａ及び図２３Ｂを参照しながら、セット部２と識別部３との間の紙幣Ｂの搬送制御について説明する。
【０１７４】
図２３ＡのＰ１は、セット部２が、先の紙幣Ｂ１の繰り出しを開始している工程を示す。続くＰ２は、先の紙幣Ｂ１の先端が、第７センサ６０７及び第６センサ６０６を通過した工程を示す。このときに、セット部２の次の紙幣Ｂ２は、繰り出しが開始されている。次の紙幣Ｂ２の繰り出し速度は、前述の通り、Ｖ１である。先の紙幣Ｂ１は、識別部３のグリップローラー３５によって挟み込まれるから、引込速度Ｖ２（＜Ｖ１）で引き込まれる。
【０１７５】
先の紙幣Ｂ１の先端が、第６センサ６０６を通過してから所定距離だけ搬送した時点で、セット部２は、紙幣Ｂの繰り出しを停止する。制御部６は、紙幣Ｂの搬送制御に係るパルスが、第６センサ６０６の検知時点から所定パルスとなった時点で、セット部２の紙幣Ｂの繰り出しを停止すればよい。図２３ＢのＰ３は、セット部２の紙幣Ｂ２の繰り出しを停止した時点を例示している。図例では、次の紙幣Ｂ２の先端が、第７センサ６０７に到達する前に、セット部２の紙幣Ｂ２の繰り出しが停止している。尚、前述したように、セット部２における紙幣Ｂの搬送駆動源と、識別部３以降における紙幣Ｂの搬送駆動源とは互いに独立しているため、先の紙幣Ｂ１は、セット部２の繰り出し停止とは無関係に、識別部３を所定の速度で通過する。
【０１７６】
セット部２は、第７センサ６０７が次の紙幣Ｂ２の先端を検知していないときには、次の紙幣Ｂ２の先端が第７センサ６０７の位置に到達するように、紙幣Ｂ２を繰り出す。こうして、図２３ＢのＰ４に示すように、次の紙幣Ｂ２の先端位置を、第７センサ６０７の位置にする。このときの繰り出し速度は、通常の繰り出し速度よりも低速とする。次の紙幣Ｂ２を、第７センサ６０７の位置に正確に位置づけることが可能になる。その後、セット部２は、紙幣Ｂの繰り出しを再開し、次の紙幣Ｂ２を、識別部３に進入させる。このときに、さらに次の紙幣Ｂ３の繰り出しも開始される（図２３ＢのＰ４及び図２３ＡのＰ１参照）。
【０１７７】
先の紙幣Ｂ１の長手方向の長さによっては、その先端が、第６センサ６０６を通過してから所定距離だけ搬送するまでの間に、次の紙幣Ｂ２の先端が、第７センサ６０７の位置に到達する場合がある。具体的には、先の紙幣Ｂ１の長手方向の長さが比較的短いときには、次の紙幣Ｂ２の先端が、第７センサ６０７の位置に到達する場合がある。その場合、セット部２は、第７センサ６０７が次の紙幣Ｂ２の先端を検知した時点で、紙幣の繰り出しを停止する。このときは、図２３ＡのＰ２から、図２３ＢのＰ３を経ずに、Ｐ４に移行することになる。
【０１７８】
いずれにおいても、次の紙幣Ｂ２の繰り出しを再開するときには、当該紙幣Ｂは、常にその先端が第７センサ６０７の位置にある状態で、停止している。そのため、識別部３に繰り出す紙幣Ｂの速度を、所定の速度にすることが可能になる。識別部３を通過する紙幣Ｂの速度が、所定の速度で一定になるから、高い識別精度を維持することができる。
【０１７９】
（リジェクト部の構成）
前述のように、装置１には、排出されたリジェクト紙幣を保持しておくリジェクト部５４が設けられている。リジェクト部５４は、分岐路５８と分岐路５８に連通する搬送路の一部とで構成されている。リジェクト部５４は、リジェクト紙幣の一部がリジェクト口５４ａから外にはみ出した状態でリジェクト紙幣を保持している。以下、リジェクト部５４の構成について詳しく説明する。
【０１８０】
前述の如く、搬送路は、図２に示すように、平面視でＵ字状に形成されている。詳しくは、第２搬送路５２は、図１３及び図１４に示すように、第１屈曲部５１１において第１搬送路５１から屈曲し、第３搬送路５３は、第２屈曲部５２１において第２搬送路５２から屈曲している。
【０１８１】
第１屈曲部５１１には、図１３に示すように、複数のローラーを有する第１搬送ローラー５１２が設けられている。紙幣は、第１搬送ローラー５１２によって、第１搬送路５１から第２搬送路５２へ屈曲するように搬送される。
【０１８２】
第２屈曲部５２１には、図１３に示すように、複数のローラーを有する第２搬送ローラー５２２が設けられている。紙幣は、第２搬送ローラー５２２によって、第２搬送路５２から第３搬送路５３へ屈曲するように搬送される。
【０１８３】
これら第１搬送ローラー５１２及び第２搬送ローラー５２２は、回転方向を切替可能に構成されている。つまり、第１搬送ローラー５１２及び第２搬送ローラー５２２は、紙幣がセット部２から保持部４へ向かう順方向と、順方向とは逆向きの逆方向とで紙幣の搬送方向を切り替えることができる。
【０１８４】
分岐路５８は、図２及び図１３に示すように、搬送路から分岐している。分岐路５８は、第１屈曲部５１１に接続され、第２搬送路５２の延長線上に、即ち、第２搬送路５２と一直線状に延びている。分岐路５８は、第１ガイド５５の後端部と第３ガイド５７とで形成されている。分岐路５８のうち、搬送路からの分岐部と反対側の端部は、装置１の後部の右側面に開口し、リジェクト口５４ａを形成している。また、分岐路５８は、第２搬送路５２と同様に上方へ開口している。分岐路５８は、搬送路の一部（詳しくは、第２搬送路５２の一部）と共に、リジェクト部５４を構成している。
【０１８５】
また、第１屈曲部５１１には、図１３に示すように、紙幣の進路を搬送路から分岐路５８へ切り替える切替部５９が設けられている。
【０１８６】
切替部５９は、上下方向に互いに間隔を空けて配列された複数（具体的には４つ）の爪５９１を有し、全体として櫛歯状に形成されている。爪５９１は、楔形状をしている。切替部５９は、第１ガイド５５の後端部において、上下方向に延びる回転軸Ａ回りに回転可能に支持されている。切替部５９は、図１３に示すように、爪５９１の先端部が搬送路上に位置するように、付勢バネ５９４により付勢されている。切替部５９は、通常時はストッパ（図示省略）に当接することによって、爪５９１の先端部が搬送路上に位置する。この位置を第１位置と称する。付勢バネ５９４は、付勢部材の一例である。
【０１８７】
このように構成された切替部５９は、紙幣が順方向へ搬送される場合には、その紙幣を第１搬送路５１から第１屈曲部５１１を介して第２搬送路５２へ案内する一方、紙幣が逆方向へ搬送される場合には、その紙幣を第２搬送路５２から分岐路５８へ案内する。
【０１８８】
詳しくは、通常、切替部５９は、図１３に示すように、付勢バネ５９４の付勢力により第１位置に位置する。このとき、第１搬送路５１から順方向に搬送されてきた紙幣は、切替部５９を付勢バネ５９４の付勢力に抗して押圧する。紙幣に押圧された切替部５９は、図１４に示すように、搬送路から退避した第２位置まで移動する。切替部５９が第２位置に位置するときには、爪５９１は、紙幣を第１搬送路５１から第２搬送路５２の方へ屈曲するように案内する。このように、切替部５９は、紙幣の順方向への通過を許容しつつ、紙幣を第２搬送路５２へ案内する。
【０１８９】
一方、装置１は、前述の如く、識別部３によりリジェクトすべき、と判定された紙幣は、切替部５９を順方向に通過した後に一旦停止され、逆方向に搬送する。このときに、切替部５９は、付勢バネ５９４の付勢力により第１位置へ戻っている。つまり、リジェクト紙幣が逆方向に搬送されるときには、切替部５９は第１位置に位置している。このとき、爪５９１は、逆方向へ搬送される紙幣を第２搬送路５２から分岐路５８へ案内する位置に位置している。そのため、第２搬送路５２を逆方向に搬送された紙幣は、第１搬送路５１の方へ屈曲することなく、分岐路５８の方へ導かれる。その後、リジェクト紙幣の一部がリジェクト口５４ａから外にはみ出す状態となると、搬送が停止される。このとき、リジェクト紙幣の一部は、第２搬送路５２に残留している。つまり、排出されたリジェクト紙幣は、分岐路５８と第２搬送路５２の一部によって保持されている。尚、担当者がリジェクト部５４の紙幣を抜き取ると、セット部２に紙幣が残留している場合には、残留紙幣の計数を再開する。抜き取られたリジェクト紙幣は、セット部２に再セットされたり、担当者が手入力で処理したりする。
【０１９０】
さらに、装置１は、前述の如く、識別部３により真券ではない、と判定された、偽券と疑わしき紙幣（非真券）については、第２搬送路５２の第２センサ６２を通過した後に、その搬送を中断する。このとき、非真券は、第２搬送路５２に残留している。前述の如く、搬送中の紙幣の上部は、開口部５０から上方に飛び出すため、人は、第２搬送路５２に残留している非真券の上部を、常時、視認することができる。装置１は、非真券が検出されたことを第１ディスプレイ８１に表示する。装置１はまた、非真券が検出されたことを上位サーバー１００へ送信し、例えば遊技場の責任者へ通知する。その後、担当者は、装置１を用いて計数を行っている担当者個人の判断に基づいた対応をするのではなく、責任者の立ち会いの元、例えば遊技場ごとに規定されたルールにしたがって、その非真券を取り扱う。
【０１９１】
このように、偽券と疑わしき紙幣については、紙幣の搬送を中断し、搬送路に留めておくことで、手入力等の安易な取り扱いをさせることなく、厳正に取り扱うことができる。
【０１９２】
また、人は、第２搬送路５２に残留している非真券の上部を、常時、視認することができるため、その非真券を監視することができる。そのことで、非真券を厳正に取り扱うことができる。例えば、責任者が装置１の元へ来るまでの間、及び、責任者の立ち会いの元で非真券を取り扱うときに、人は、非真券を監視することができる。そのことで、非真券のすり替え等を防止することができる。そうした非真券は、例えば監視カメラからも監視することが可能である。
【０１９３】
また、リジェクト紙幣と非真券とで紙幣の搬送パターンを異ならせることにより、担当者がリジェクト紙幣を非真券とを誤認するのを防止することができる。
【０１９４】
また、搬送路の一部を利用してリジェクト部５４を構成することによって、リジェクト部５４を搬送路とは完全に別に設ける必要がないので、装置１を小型に形成することができる。
【０１９５】
また、リジェクト部５４は、リジェクト紙幣の一部がリジェクト口５４ａから外にはみ出した状態でリジェクト紙幣を保持し、リジェクト紙幣の全体を収容する必要がないので、リジェクト部を小型にすることができ、ひいては、装置１を小型に形成することができる。
【０１９６】
さらに、排出されたリジェクト紙幣の一部は搬送路に残留しかつ、搬送路は紙幣の一部を露出させる開口部５０を有しているので、担当者及び客は、処理中及び処理後のリジェクト紙幣の一部を常に視認することができる。
【０１９７】
また、紙幣が搬送路を順方向に搬送される場合には、第２位置へ退避して紙幣の搬送を許容し、紙幣が搬送路を逆方向に搬送される場合には、第１位置に位置して紙幣を分岐路５８へ案内する切替部５９を設けているので、リジェクト紙幣の搬送方向を順方向から逆方向に切り替えることによって、リジェクト紙幣の進路を搬送路から分岐路５８へ切り替えることができる。この構成によれば、切替部５９を駆動する駆動源を要しないので、装置１の構成を簡易にすることができると共に、消費電力を低減することができる。
【０１９８】
（リジェクト時における紙幣の搬送制御）
前述の通り、リジェクト紙幣は、切替部５９を通過した後に搬送が停止され、逆方向に搬送される。リジェクト紙幣の停止位置は、リジェクト紙幣の後端が、切替部５９を確実に通過した位置でかつ、リジェクト紙幣の先端が、保持部４に至らない範囲で設定される。具体的にリジェクト紙幣の停止位置は、次のように定められる。つまり、図２４に示すように、切替部５９の爪５９１の先端を基準とし、ここから保持部４に向かう方向に、第２及び第３搬送路５２、５３に沿って、当該紙幣計数装置１の計数対象の紙幣の内、長手方向の長さが最大である、最長紙幣の長さ＋αの距離だけ離れた位置に、紙幣Ｂの先端が到達した位置が、リジェクト紙幣の停止位置である。
【０１９９】
こうすることで、リジェクト紙幣の長手方向の長さにかかわらず、リジェクト紙幣の後端が、切替部５９を確実に通過した位置でかつ、リジェクト紙幣の先端が、保持部４に至らない範囲でリジェクト紙幣を停止させることが可能になる。
【０２００】
制御部６は、例えば、第３搬送路５３に配設した第３センサ６３が、紙幣Ｂの先端を検知したことに基づき、第３センサ６３から所定距離Ｃ１だけリジェクト紙幣が搬送されたときに、紙幣Ｂの搬送を停止してもよい。
【０２０１】
また、制御部６は、例えば識別部３に設けた第６センサ６０６が、紙幣Ｂの先端を検知したことに基づき、第６センサ６０６から所定距離Ｃ２だけリジェクト紙幣が搬送されたときに、紙幣Ｂの搬送を停止してもよい。
【０２０２】
さらに、制御部６は、例えば第２搬送路５２に配設した第２センサ６２が、紙幣Ｂの後端を検知したことに基づいてリジェクト紙幣を停止するよう、紙幣Ｂの搬送を制御してもよい。
【０２０３】
ここで、前述したリジェクト紙幣の停止位置は、当該紙幣の先端の一部が、後述する保持部４の札たたき４６に触れる位置であるが、第３搬送路５３及び第２搬送路５２に配設している第３搬送ローラー５３２及び第２搬送ローラー５２２のグリップ力が、比較的強いため、リジェクト紙幣を逆方向に搬送することが可能である。
【０２０４】
尚、リジェクト紙幣を前述した停止位置に停止させる際に、その停止直前に、搬送速度を緩やかに低下させて停止した後、リジェクト紙幣を逆方向に搬送するようにしてもよい。
【０２０５】
また、前述したリジェクト紙幣の停止位置は一例である。リジェクト紙幣の停止位置は、例えば紙幣Ｂの先端の一部が、保持部４の札たたき４６に触れない位置に設定してもよい。
【０２０６】
−リジェクト部に関する他の形態−
前記の構成では、分岐路５８が第１屈曲部５１１に接続されているが、分岐路５８が搬送路に接続される場所は、これに限られるものではない。例えば、分岐路５８は、第２屈曲部５２１に接続されていてもよい。さらには、分岐路５８は、第１搬送路５１、第２搬送路５２又は第３搬送路５３のように直線状に延びる部分に接続されていてもよい。また、分岐路５８は、第１搬送路５１の延長線上に延びていてもよい。
【０２０７】
さらに、装置１は、リジェクト紙幣の搬送方向を順方向から逆方向に切り替えることによって、リジェクト紙幣を分岐路５８へ導くように構成されているが、これに限られるものではない。リジェクト紙幣を順方向に搬送しながら、リジェクト紙幣の進路を搬送路から分岐路５８へ切り替えるような構成であってもよい。例えば、ソレノイドアクチュエータ等によって切替部５９のような進路を切り替える部材を駆動することによって、リジェクト紙幣の進路を搬送路と分岐路５８とで切り替えることができる。
【０２０８】
さらに、装置１は、前述の如く、識別部３により真券ではないと判定された紙幣については、第２搬送路５２の第２センサ６２を通過した後に、その搬送を中断するように構成されているが、これに限られるものではない。例えば、真券ではないと判定された紙幣は、第１搬送路５１に残留してもよいし、第３搬送路５３に残留してもよい。また、真券ではないと判定され次第、その搬送を即座に中断してもよい。一方で、搬送パターンに関する設定を行うことにより、装置１は、真券ではないと判定された紙幣についても、リジェクト紙幣と同様に、リジェクト部５４へ搬送することができる。
【０２０９】
（保持部の構成）
以下、保持部４の構成について詳細に説明する。図１５は、保持部４の構成を示す平面図である。図１６は、保持部４の構成を拡大して示す斜視図である。保持部４は、ストッパ４１と、札押さえ４３と、２つの突起４５とを備えている。
【０２１０】
ストッパ４１は、第３搬送路５３から保持部４へと、装置１の前方に搬送される紙幣Ｂの搬送方向の先端縁に当たって、紙幣Ｂの先端縁を揃える機能を果たす。ストッパ４１は、図１、図１５及び図１６に示すように、第２ガイド５６の左側面から、装置１の左外方に突出するように取り付けられる。ストッパ４１は、前後方向に広がる保持部４において、左右方向に横切るように配設される。
【０２１１】
ストッパ４１はまた、その基端部が垂直方向に延びる軸周りに回転可能となるように、第２ガイド５６に取り付けられている。ストッパ４１は、第２ガイド５６の左側面に対して、ほぼ直交するように、その側面から突出する状態から、装置１の前方に向かって回転をして第２ガイド５６の左側面に沿うように倒れる状態へと変更することが可能である。紙幣Ｂの計数処理の最中等においては、ストッパ４１は第２ガイド５６の側面から突出するような状態となって、保持部４に搬送された紙幣Ｂの先端縁を揃える機能を果たす。一方、保持部４から紙幣Ｂを取り除くときには、ストッパ４１は紙幣Ｂに押されて回転可能である。ストッパ４１が退避をすることにより、保持部４から紙幣Ｂが取り出し易くなる。
【０２１２】
ストッパ４１において、紙幣Ｂの先端縁が当たる面４１ａには、上下方向に延びる溝が水平方向に多数並んで形成されている。これにより、紙幣Ｂの先端縁が当たる面４１ａは、のこぎり状となっている。保持部４は、紙幣Ｂを立てた状態で保持するが、紙幣Ｂの先端縁がストッパ４１に設けた溝に入ることで、紙幣Ｂが水平方向（特に、装置１の左側方）に移動することが防止される。保持部４は、複数枚の紙幣を、水平方向に並べた状態で、一度に保持することが可能であるが、各紙幣Ｂの移動を防止することによって、後述する札押さえ４３と共に、複数枚の紙幣Ｂがバラバラになってしまうことが防止される。
【０２１３】
ストッパ４１はまた、図１６に示すように、上下方向の中央部が先端（装置１の左側）から切り欠けられた横向き凹状に形成されている。ストッパ４１の切り欠き４１ｂには、後述の如く、札押さえ４３の先端部が入り込んでいる。
【０２１４】
札押さえ４３は、保持部４に保持された紙幣Ｂの表面又は裏面を押さえて、紙幣Ｂを立てた状態にする機能を果たす。札押さえ４３はまた、保持部４に保持された複数枚の紙幣Ｂを厚み方向に押さえて重ねる機能も果たす。札押さえ４３は、第３ガイド５７に取り付けられている。札押さえ４３は、平面視でＬ字状に構成された第３ガイド５７の前端部に取り付けられ、そこから、装置１の前方へと延びている。札押さえ４３は、その基端部が垂直方向に延びる軸周りに回転可能となるように、第３ガイド５７に取り付けられている。札押さえ４３は、装置１の前方でかつ、第２ガイド５６の側面に近づく方向に延びる状態から、第２ガイド５６の側面から離れる方向へと、図１５における時計回りに回転をすることが可能である。札押さえ４３の基端部には、ねじりバネ４４が取り付けられており、ねじりバネ４４は、札押さえ４３を、図１５における反時計回り方向に付勢している。
【０２１５】
図１５から明らかなように、保持部４において第２ガイド５６の左側面は、第３搬送路５３よりも装置１の右側に位置している。第３搬送路５３から保持部４へと搬送された紙幣Ｂは、図１５に二点鎖線で示すように、装置１の略右方へと移動しながら、前方へと移動する。札押さえ４３は、第３搬送路５３から保持部４へと搬送された紙幣Ｂを、第２ガイド５６の側面の方に寄せるように紙幣Ｂを案内する。札押さえ４３は、ストッパ４１と共に、保持部４において、紙幣Ｂが所定の位置に保持されるようにする。また、保持部４において保持をする紙幣Ｂの枚数が増えたときには、反時計回り方向に付勢されている札押さえ４３は、時計回りに回転をすることにより、保持部４において水平方向に並んで保持されている複数枚の紙幣Ｂの内、最も外側の紙幣Ｂの表面又は裏面に当たって、複数枚の紙幣Ｂを、第２ガイド５６の側面の方に寄せて保持する。こうして、複数枚の紙幣Ｂを、立てた状態で安定的に保持することが可能になる。
【０２１６】
保持部４から紙幣Ｂを取り除くときには、札押さえ４３は、紙幣Ｂに押されて反時計回りに回転することが可能である。こうして、札押さえ４３が退避をすることにより、保持部４から紙幣Ｂが取り出し易くなる。
【０２１７】
前述の如く、札押さえ４３の先端部は、図１５に示すように、ストッパ４１の切り欠き４１ｂ内に入り込んでおり、図１６に示すように、ストッパ４１に対して平面視で交差している。こうすることによって、紙幣Ｂがストッパ４１に当たったとき、その紙幣Ｂの先端縁に札押さえ４３が当たるようになるから、ストッパ４１に設けた溝と同様に、紙幣Ｂが水平方向（特に、装置１の左側方）に移動することが防止される。
【０２１８】
２つの突起４５は、紙幣Ｂの先端側の一部を札押さえ４３と共に挟み込んで、紙幣Ｂの先端縁を安定的に揃える機能を果たす。各突起４５は、図１、図１５及び図１６に示すように、第２ガイド５６の左側面から、装置１の左外方に突出するように設けられる。２つの突起４５は、上下方向に並んでいる。紙幣Ｂが保持部４に保持されていないときには、図１５に示すように、札押さえ４３の一部は、２つの突起４５の間に位置（具体的には、平面視で札押さえ４３と各突起４５とが重なり合う位置）することになる。こうすることによって、紙幣Ｂが保持部４に保持されていないとき、又は、保持されている紙幣Ｂの枚数が比較的少ないとき、第３搬送路５３から保持部４へと搬送された紙幣Ｂは、その先端側の一部（具体的には、先端縁付近の表面又は裏面）が、２つの突起４５と札押さえ４３との間に入り込んで挟み込まれることになる。そのことで、紙幣Ｂの暴れを防止して、紙幣Ｂの先端縁を安定的に揃えることが可能になる。  
【０２１９】
尚、前記の構成では、ストッパ４１は、所定の軸周りに回転可能となるように取り付けられていたが、ストッパ４１の構成は、これに限られるものではない。例えば、ストッパ４１は、回転可能でなくてもよい。その場合、保持部４に保持された紙幣Ｂは、保持部４から上方向に抜き出されることになる。
【０２２０】
（保持部の第２の実施形態）
図２５〜図３０は、保持部４の第２の実施形態を示している。第２の実施形態に係る保持部４は、図１５〜図１６に示す、ストッパ４１、札押さえ４３及び突起４５を備えた保持部４に対し、札たたき４６及び札ガイドレバー４７をさらに備えている。
【０２２１】
札たたき４６は、第３搬送路５３から保持部４に搬送される紙幣Ｂの後端縁をたたいて、紙幣Ｂを、装置１の内方へと移動させることにより、紙幣Ｂを保持部４に立てた状態で集積させるよう構成されている。
【０２２２】
札たたき４６は、第３搬送路５３と保持部４との接続位置の付近に配設されている。図２６に示すように、札たたき４６は、上下方向に所定の間隔を空けて、２つ設けられている。２つの札たたき４６はそれぞれ、上下方向に伸びる回転軸回りに回転可能に支持されている。札たたき４６は、図２５における反時計回り方向にのみ回転するよう、構成されている。
【０２２３】
札たたき４６は、可撓性を有する、例えばゴム製の、複数の（図例では４枚の）羽根４６１を有している。複数の羽根４６１は、ハブ部４６２に対して周方向に等間隔で、放射状に設けられている。札たたき４６の各羽根４６１は、比較的長く構成されている。これにより、第３搬送路５３から保持部４へと、装置１の前方に搬送される紙幣Ｂの後端部の広い範囲を、羽根４６１によって、たたくことが可能になる。その結果、紙幣Ｂを安定して、保持部４に集積することが可能になる。
【０２２４】
図２７に示すように、札たたき４６の回転軸を挟んで、第３搬送路５３の配設側とは逆側（つまり、紙幣計数装置１の内方側）には、規制壁４６３が設けられている。規制壁４６３は、札たたき４６の回転軸の周方向の一部分を囲むように設けられている。規制壁４６３は、札たたき４６の回転軸に対して、径方向の離れた位置から、次第に近づくように湾曲している。規制壁４６３と、札たたき４６の回転軸との間隔は、羽根４６１の長さよりも短い。このため、札たたき４６が、図２７において反時計回りに回転するときに、羽根４６１は、一点鎖線で示すように、規制壁４６３と干渉して、規制壁４６３に沿うように、曲げられる。
【０２２５】
曲げられた状態の羽根４６１は、最初、第３搬送路５３を搬送される紙幣Ｂの内側の面に当たると共に、紙幣Ｂが搬送されると共に、札たたき４６の回転が進むに従い、曲がっていた羽根４６１が、弾性復元力によって伸びて、紙幣Ｂの後端部をたたく。規制壁４６３によって、羽根４６１が当初は曲げられることで、札たたき４６の、実質的な径が小さくなっている。このため、札をたたく際に生じる音を、低減させることが可能になる。
【０２２６】
札ガイドレバー４７は、第３搬送路５３と保持部４との接続位置の付近に配設されている。札ガイドレバー４７は、第３搬送路５３から保持部４に送り込まれた紙幣Ｂに当たって、紙幣Ｂを、第２ガイド５６の側面の方向に案内しつつ、紙幣Ｂの先端が、保持部４において集積されている紙幣Ｂと衝突しないようにする。
【０２２７】
札ガイドレバー４７は、図２６に示すように、札押さえ４３の上側と、下側とのそれぞれに配設されている。図２５に示すように、２つの札ガイドレバー４７はそれぞれ、第３ガイド５７に取り付けられている。各札ガイドレバー４７は、札押さえ４３と同様に、その基端部が上下方向に延びる軸周りに回転可能となるように、第３ガイド５７に取り付けられている。各札ガイドレバー４７の基端部には、ねじりバネ４８が取り付けられている。ねじりバネ４８は、札ガイドレバー４７を、反時計回り方向に付勢している。ねじりバネ４８のばね定数は、札押さえ４３を付勢するねじりバネ４４のばね定数よりも、大幅に低く設定されている。これによって、札ガイドレバー４７は、紙幣Ｂを、第２ガイド５６の側面の方向に案内しながらも、紙幣Ｂに押されて時計回り方向に回動をして、紙幣Ｂの先端が、保持部４において集積されている紙幣Ｂと衝突してしまうことを防止する。
【０２２８】
第２の実施形態に係る保持部４のストッパ４１０は、図１６に示すストッパ４１とは形状が異なる。ストッパ４１０は、上下方向に大型化している。ストッパ４１０は、その上端が、図２８及び図２９に示すように、紙幣計数装置１の第２ガイド５６の上面よりも上方となるように構成されている。このように大型化したストッパ４１０は、図２９に示すように、長手の縁を下にして立てた状態で集積される紙幣Ｂの上端付近と当接する。これにより、前方に移動しようとする紙幣Ｂがストッパ４１０に当たったときに、紙幣Ｂを確実に止めることができ、紙幣Ｂの集積が安定化する。
【０２２９】
ストッパ４１０はまた、その取り付け位置を変更可能に構成されている。具体的には、図３０に示すように第２ガイド５６の側面には、ストッパ４１０に設けられた凸部４１３が挿入される取り付け穴として、装置１の前後方向に、予め２箇所の取り付け穴４１１、４１２が設けられている。いずれかの取り付け穴４１１、４１２内にストッパ４１０の凸部４１３を挿入しかつ、溝４１４内に挿入されたねじを締結することによって、ストッパ４１０は第２ガイド５６に固定される。紙幣計数装置１の計数対象の紙幣Ｂの大きさ、特に長手方向の長さに応じて、ストッパ４１０の取り付け位置を変更すれば、保持部４は、紙幣Ｂを常に、安定して集積、及び、保持することが可能になる。
【０２３０】
−保持部に関する他の形態−
尚、保持部４にライトアップ構造を設け、装置１が待機状態にあること、装置１が計数処理の最中であること、計数処理が正常に終了したこと、計数処理時にエラーが発生したこと、及び、リジェクト紙幣が発生したことを、保持部４に照射するライトの色によって示すように構成してもよい。但し、装置１においてライトアップを行う箇所は、保持部４に限定されるものではない。例えばセット部２、搬送部５及び搬送部５等をライトアップしてもよい。
【０２３１】
また、前記の構成では、２つの突起４５が設けられているが、突起４５を設ける数は、これに限られない。例えば、１つの突起４５を設けたり、３つ以上の突起４５を設けたりしてもよい。
【０２３２】
（ディスプレイ及び各種スイッチに関する構成）
前述の如く、装置１は、少なくとも紙幣の計数結果が表示される複数のディスプレイ８１，８２を備えている。これにより例えば、第１ディスプレイ８１は主に担当者が見るためのディスプレイとし、第２ディスプレイ８２は主に客が見るためのディスプレイとすることによって、担当者と客の両方が紙幣の計数結果を容易に確認することができる。尚、ここでは、２つのディスプレイを備えた装置構成について説明したが、３つ以上のディスプレイを備えた装置構成としてもかまわない。
【０２３３】
また、装置１の上部１１上面には、図１９に示すように、前述の承認スイッチ９１および消去スイッチ９２が設けられている。詳しくは、両スイッチ９１、９２は、人が押下することにより機能するメカニカルスイッチ（具体的には、パネルスイッチ）として構成されており、上部１１上面の前側において、装置１の前後方向に並ぶよう配置されている。尚、承認スイッチ９１及び消去スイッチ９２は、パネルスイッチに限らず、押しボタン式のスイッチであってもよい。
【０２３４】
本実施形態に係る装置１は、例えばチップを用いた遊技を行う遊技場に設置されるものとする。装置１は、客から受け取った紙幣の計数処理を行うと共に、その計数値が表す金額を、画面表示部に表示可能に構成されている。そして、装置１は担当者が所定の操作入力を行うことで、種々の処理を行うことができるように構成されている。
【０２３５】
図１７は、装置１において画面表示及び操作入力に関連する機能構成を示すブロック図である。図１７に示すように、装置１は、担当者などのユーザによる操作入力が行われる操作入力部６６、外部との通信を制御する通信制御部６７、および、画面表示部（本実施形態では第１ディスプレイ８１および第２ディスプレイ８２）の表示内容を制御する画面制御部６８を備えている。操作入力部６６は、本実施形態では、担当者用の画面表示部である第１ディスプレイ８１に設けられたタッチパネルと、装置１の上部１１上面に設けられた承認スイッチ９１及び消去スイッチ９２とによって実現されている。通信制御部６７および画面制御部６８は、本実施形態では、上述した制御部６の１つの機能として実現されており、例えば、マイクロコンピュータとプログラムの組合せによって実現される。ただしこれに限られるものではなく、制御部６とは独立したシステムＬＳＩ等によって実現されてもよい。
【０２３６】
そして装置１は、例えば、遊技場を集中管理している上位サーバー１００と、コネクタ７を介して通信可能なように接続されている。コネクタ７は、下部１２の前面に設けられている。コネクタ７は、ＵＳＢケーブル、ＬＡＮケーブル及びＲＳ２３２Ｃケーブルを接続することができるように構成されている。コネクタ７には、電源コードを接続することもできる。通信制御部６７は、上位サーバー１００から、遊技に関する情報（例えば、紙幣の計数値が表す金額と交換可能であるチップの組合せ）を受信し、画面制御部６８に送る。通信制御部６７は、例えば偽券が検出されたときのように、遊技場の責任者等へ通知するべき情報が取得されたときには、その情報を上位サーバー１００へ送信する。
【０２３７】
図１８は画面表示の例である。図１８の画面は第１ディスプレイ８１に表示されることを想定している。
【０２３８】
図１８は紙幣を計数したときの画面表示の例であり、計数値Ｄ１として「＄８００」が表示されている。Ｄ２は通貨表示であり、図では香港ドルの通貨コード「ＨＫＤ」が表示されている。Ｄ３は、第１ディスプレイ８１に設けられた承認ボタンであり、担当者が承認ボタンＤ３を押す（タッチする）ことによって、計数値の確定処理が行われる。Ｄ４は、第１ディスプレイ８１に設けられた消去ボタンであり、担当者が消去ボタンＤ４を押すことによって、前の処理において取得された計数値が消去される。
【０２３９】
図３１は、紙幣を計数したときに、第１ディスプレイ８１に表示される画面表示の例と、第２ディスプレイ８２に表示される画面表示の例とを示している。第１ディスプレイ８１及び第２ディスプレイ８２にはそれぞれ、同様の計数結果が表示されるが、客用の第２ディスプレイ８２では操作を行わないため、タッチ用ボタンは表示されない。尚、図例では、第１ディスプレイ８１に表示される画面と第２ディスプレイ８２に表示される画面とは、白黒を反転させた表示形態であるが、これに限らず、同じ表示形態であってもよい。
【０２４０】
紙幣計数時における、装置１およびこれを操作する担当者の動作の一例を説明する。まず、担当者は、客から紙幣を受け取ると、この紙幣を装置１のセット部２にセットし、計数を実行する。計数が終了すると、装置１は第１ディスプレイ８１および第２ディスプレイ８２に計数結果を表示する。このときの画面は、例えば図１８のようになる。担当者は、計数結果が客に承認されたとき、図１８の画面における承認ボタンＤ３を押すか、上部１１上面に設けた承認スイッチ９１を押下する。そうすることによって、計数値の確定処理が行われ、一つの処理を完了することができる。担当者は、次の処理を行う際には、図１８の画面における消去ボタンＤ４を押すか、上部１１上面に設けた消去スイッチ９２を押下するかすることにより、前の処理の計数値を消去する。
【０２４１】
一般に、計数値を承認及び消去する操作は、比較的頻繁に行われることになるため、担当者が操作し易くするために、承認ボタンＤ３及び消去ボタンＤ４を可能な限り大きく表示することが要求される。しかしながら、第１ディスプレイ８１には、計数値や通貨コード等の情報を表示することも要求されるため、そうした情報を表示する分だけ、承認ボタンＤ３及び消去ボタンＤ４の表示スペースには制約が生じ得る。また、例えばタッチパネルにはクリック感が無い等の理由から、タッチパネルの操作自体を苦手とする担当者もいるため、そうした担当者にとっても操作し易いスイッチ（ボタン）を設けることが要求される。
【０２４２】
さらに、第１ディスプレイ８１の表示内容を、客や監視カメラに確認させる場合がある。その場合、担当者が承認ボタンＤ３及び消去ボタンＤ４を押すときに、担当者の手が表示を遮る虞もある。
【０２４３】
そこで、前述の如く、上部１１上面に承認スイッチ９１及び消去スイッチ９２を設けることにした。第１ディスプレイ８１上に設けたボタンＤ３、Ｄ４と比較すると、計数値や通貨コードの表示スペースを必要としない分だけ、大きさを調整し易い。担当者にとって適度な大きさにすることで、担当者が押し易いスイッチが得られる。
【０２４４】
また、承認スイッチ９１及び消去スイッチ９２は、タッチパネル式ではなく、クリック感を出すことが可能なメカニカルスイッチとして構成されているため、タッチパネルの操作を苦手とする担当者に対応することもできる。
【０２４５】
また、承認スイッチ９１及び消去スイッチ９２は、第１ディスプレイ８１から離れた位置に設けられているため、第１ディスプレイ８１の表示を遮ることなく、計数値を承認及び消去する操作を行うことが可能となる。
【０２４６】
また、計数値を承認する操作入力部、及び、消去する操作入力部を、それぞれ、装置１の上部１１と第１ディスプレイ８１との両方に設けることで、それぞれが操作される回数を減らすことができる。そのことで、上部１１側に設けたスイッチ９１、９２の耐久年数を延ばすことが可能となる。特に、スイッチ９１、９２の交換は、第１ディスプレイ８１ごと交換する必要が生じるボタンＤ３、Ｄ４の交換よりも安価なものとなる。さらに、装置１の上部１１に設けたスイッチ９１、９２が破損した場合であっても、引き続き、第１ディスプレイ８１に設けたボタンＤ３、Ｄ４を使用することができる。尚、第１ディスプレイ８１にボタンＤ３、Ｄ４を設けずに、スイッチ９１、９２のみを使用するように構成してもよい。
【０２４７】
−ディスプレイ及び各種スイッチに関する他の形態−
前記の構成では、承認スイッチ９１及び消去スイッチ９２が装置１の上部１１上面に設けられているが、両スイッチ９１、９２を設ける場所は、これに限られるものではない、例えば、上部１１の側面や前面に設けたり、下部１２の側面に設けたりしてもよい。
【０２４８】
前記の構成では、承認スイッチ９１及び消去スイッチ９２は、メカニカルスイッチとして構成されていたが、これに限られるものではない。例えば、装置１の上部１１上面にタッチパネル式の液晶ディスプレイを設け、そのディスプレイ上に承認スイッチ９１及び消去スイッチ９２を表示してもよい。
【０２４９】
（ディスプレイの表示制御）
紙幣計数装置１の計数対象の通貨によって、ディスプレイに表示する計数結果の桁数は最適化することが好ましい。画面制御部６８は、図３２に示すように、紙幣を計数したときの画面表示において、表示する桁数に応じてフォントサイズを自動的に変更するよう構成されている。尚、図３２は、第１ディスプレイ８１の表示画面を例示しているが、第２ディスプレイ８２の表示画面の同様である。
【０２５０】
具体的に、図３２の左に示す画面は、計数結果を６桁で表示している。一方、図３２の右に示す画面は、計数結果を７桁で表示している。桁数が多いため、フォントサイズを相対的に小さくしている。こうすることで、必要な桁数の計数結果を、できるだけ大きなフォントで表示することが可能になる。担当者及び客は、計数結果を確認しやすくなる。また、紙幣計数装置１の仕向け地に応じて表示が最適化するから、紙幣計数装置１のコストダウンが図られる。尚、図３２は、表示桁数を例示しているだけであり、正確な計数結果を示しているとは限らない。
【０２５１】
また、図３３に示すように、画面制御部６８は、計数対象の通貨の、金種に応じて、画面表示のフォントサイズを自動的に変更するよう構成されている。具体的に図３３の左に示す画面は、計数結果を６桁でかつ、６金種を縦に並べて表示している。図３３の右に示す画面は、計数結果を７桁でかつ、７金種を縦に並べて表示している。図３３に示す画面の下部には、承認ボタン及び消去ボタンがそれぞれ設けられている。これらのボタンは、桁数及び金種が変わっても、同じ大きさに構成されている。こうすることで、フォントサイズが変更されても、タッチパネルによるボタン操作は、正確にかつ確実に行うことが可能になる。尚、図３３も、表示桁数及び金種の数を例示しているだけであり、正確な計数結果を示しているとは限らない。
【０２５２】
（紙幣計数装置のボディに関する構成）
紙幣計数装置１の第１ガイド５５は、図３４に示すように、その下端部が回動可能となるように、装置１に取り付けられている。第１ガイド５５は、図３４の左図に示すように、装置１の右側部において起立した状態（つまり、装置１の使用状態）と、図８の右図に示すように、装置１の右側方に傾いた状態（つまり、装置１の開放状態）とに切り替わる。第１ガイド５５は、装置１の右側において、装置１の後部から前後方向の中央部にまで前後方向に延びている。ここで、図３４に示す紙幣計数装置１の第１ガイド５５は、図２に示す紙幣計数装置１の第１ガイド５５よりも、セット部２の方に長くなるよう構成されている。このため、開放状態では、セット部２と識別部３との中間部分、識別部３、及び第１搬送路５１がそれぞれ、開放される。第１ガイド５５を回動して、紙幣計数装置１を開放状態にしたときに、紙幣の搬送路を、広い範囲に亘って開放することができる。紙幣Ｂの詰まりが生じたときに、ジャム紙幣を容易に取り除くことが可能になる。
【０２５３】
紙幣計数装置１はまた、次の手順で分解をすることが可能である。つまり、図３５のＰ１１は、紙幣計数装置１の使用状態を示している。この状態から、Ｐ１２に示すように、第２ガイド５６の上面を構成する上部ふた５６１を取り外す。これにより、識別部３の一部が露出する。
【０２５４】
次に、前述したように、第１ガイド５５を回動させて、装置１を開放状態にすると共に、装置１の右側面及び底面を覆うカバー５６２を取り外す（Ｐ１３参照）。尚、このカバー５６２は、装置１の右側面を覆う部位と、底面を覆う部位とが一体化している。
【０２５５】
カバー５６２を取り外すことによって、Ｐ１４に示すように、第1ガイド５５及び第２ガイド５６の一部を構成すると共に、識別部３を構成するユニットを、装置１の本体から取り外すことが可能になる。
【０２５６】
また、装置１の底部には、装置１の制御基板１０１及び識別部３の制御基板１０２が配設されており、Ｐ１５に示すように、カバー５６２を取り外すことによって、これらの制御基板１０１、１０２をそれぞれ、露出させることが可能になる。
【０２５７】
このような構造を採用することによって、この紙幣計数装置１は、メンテナンスが容易になる。また、識別部３を構成するユニットが、装置１の本体から外れるため、識別部３の交換も容易になる。
【０２５８】
図３６は、図１に示す紙幣計数装置１とは異なる形態の紙幣計数装置１０を示している。紙幣計数装置１０において、紙幣計数装置１と同じ構成については、同じ符号を付す。紙幣計数装置１０の下部１２の左右の両側の下端には、装置の中央部において、前後に伸びる凹み１２１が設けられている。この凹み１２１は、装置１０を持ち上げる際に指が掛かる部位であり、卓上型の紙幣計数装置１０の取り扱いがしやすくなる。
【０２５９】
また、紙幣計数装置１０において、第２ディスプレイ８２は、装置１０から上方に伸びる延設部８２の上端に取り付けられている。これにより、客は、計数結果を見やすくなる。
【符号の説明】
【０２６０】
１      紙幣計数装置
２      セット部
２５１  駆動ローラー（繰出ローラー）
２５３  ゲートローラー（繰出ローラー）
３      識別部
３５    グリップローラー（引込ローラー）
３８    札叩きローラー
４      保持部
５      搬送部
６      制御部
Ｂ      紙幣
Ｖ１    繰出速度
Ｖ２    引込速度
Ｆ１    グリップ力
Ｆ２    グリップ力
【図１】
2017134804.tif 000003
【図２】
2017134804.tif 000004
【図３】
2017134804.tif 000005
【図４】
2017134804.tif 000006
【図５】
2017134804.tif 000007
【図６】
2017134804.tif 000008
【図７】
2017134804.tif 000009
【図８】
2017134804.tif 000010
【図９】
2017134804.tif 000011
【図１０】
2017134804.tif 000012
【図１１】
2017134804.tif 000013
【図１２】
2017134804.tif 000014
【図１３】
2017134804.tif 000015
【図１４】
2017134804.tif 000016
【図１５】
2017134804.tif 000017
【図１６】
2017134804.tif 000018
【図１７】
2017134804.tif 000019
【図１８】
2017134804.tif 000020
【図１９】
2017134804.tif 000021
【図２０】
2017134804.tif 000022
【図２１】
2017134804.tif 000023
【図２２】
2017134804.tif 000024
【図２３Ａ】
2017134804.tif 000025
【図２３Ｂ】
2017134804.tif 000026
【図２４】
2017134804.tif 000027
【図２５】
2017134804.tif 000028
【図２６】
2017134804.tif 000029
【図２７】
2017134804.tif 000030
【図２８】
2017134804.tif 000031
【図２９】
2017134804.tif 000032
【図３０】
2017134804.tif 000033
【図３１】
2017134804.tif 000034
【図３２】
2017134804.tif 000035
【図３３】
2017134804.tif 000036
【図３４】
2017134804.tif 000037
【図３５】
2017134804.tif 000038
【図３６】
2017134804.tif 000039